(57)【要約】紙媒体価値付与システムは、認証サーバと、第１紙媒体の画像特徴量を取得する認証要求者端末と、１以上の紙媒体それぞれの画像特徴量及び価値情報を含む紙媒体情報を管理する管理計算機と、を含み、画像特徴量は、紙を生成する過程で生じる当該紙に固有の物理的性質を示し、認証サーバは、認証要求者端末から受信した第１紙媒体の画像特徴量と、管理計算機から受信した紙媒体情報に含まれる画像特徴量それぞれと、の比較結果に基づいて、第１紙媒体が前記紙媒体情報に登録されているか否かを判定し、判定結果に基づいて、第１紙媒体の認証処理を実行し、認証処理が成功した場合、紙媒体情報から、第１紙媒体に対応する価値情報を取得し、第１紙媒体に対して、取得した価値情報に基づく価値保証処理を実行する。
2017122767.tif 000002
【特許請求の範囲】
【請求項１】
紙媒体に価値を付与する、システムであって、
認証サーバと、第１紙媒体の画像特徴量を取得する認証要求者端末と、１以上の紙媒体それぞれの前記画像特徴量及び前記１以上の紙媒体それぞれの価値情報を含む紙媒体情報を管理する管理計算機と、を含み、
前記画像特徴量は、紙を生成する過程で生じる当該紙に固有の物理的性質を示し、
前記管理計算機は、前記紙媒体情報を前記認証サーバに送信し、
前記認証要求者端末は、前記第１紙媒体の画像特徴量を前記認証サーバに送信し、
前記認証サーバは、
前記第１紙媒体の画像特徴量と、前記紙媒体情報に含まれる画像特徴量と、の比較結果に基づいて、前記第１紙媒体が前記紙媒体情報に登録されているか否かの判定を実行し、
前記判定の結果に基づいて、前記第１紙媒体の認証処理を実行し、
前記第１紙媒体の認証処理の結果が成功である場合、
前記紙媒体情報から、前記第１紙媒体に対応する価値情報を取得し、
前記第１紙媒体に対して、前記取得した価値情報に基づく価値保証処理を実行する、システム。
【請求項２】
請求項１に記載のシステムであって、
前記画像特徴量は、紙媒体の紙繊維パターンを示す、システム。
【請求項３】
請求項１又は２に記載のシステムであって、
前記紙媒体情報は、前記１以上の紙媒体それぞれに対して前記価値保証処理が実行されたか否かを示す価値保証情報をさらに含み、
前記認証サーバは、
前記紙媒体情報から、前記第１紙媒体の価値保証情報を取得し、
前記取得した価値保証情報から、前記第１紙媒体に対して既に前記価値保証処理が実行されたと判定した場合、前記第１紙媒体の認証処理の結果が失敗であると判定する、システム。
【請求項４】
請求項１から３のいずれか一つに記載のシステムであって、
前記紙媒体情報は、前記１以上の紙媒体それぞれに対して認証処理が実行された回数を示す照合回数情報を含み、
前記認証サーバは、
前記紙媒体情報から、前記第１紙媒体の照合回数情報を取得し、
前記取得した照合回数情報を所定の条件と比較した結果、前記第１紙媒体に対して認証処理が実行された回数が多いと判定した場合、前記第１紙媒体の認証処理の結果が失敗であると判定する、システム。
【請求項５】
請求項１から４のいずれか一つに記載のシステムであって、
前記紙媒体情報は、前記１以上の紙媒体それぞれについて、前記認証要求者端末を操作するオペレータのオペレータ情報をさらに含み、
前記認証要求者端末は、前記認証要求者端末に入力された第１オペレータ情報を、前記認証サーバに送信し、
前記認証サーバは、
前記紙媒体情報から、前記第１紙媒体のオペレータ情報を取得し、
前記第１オペレータ情報と、前記取得したオペレータ情報と、が一致しない場合、前記第１紙媒体の認証処理の結果が失敗であると判定する、システム。
【請求項６】
請求項５に記載のシステムであって、
前記オペレータ情報は、前記システムを操作するオペレータの生体情報である、システム。
【請求項７】
請求項１から６のいずれか一つに記載のシステムであって、
前記認証要求者端末は、前記第１紙媒体の画像をさらに保持し、
前記管理計算機は、
前記認証要求者端末から前記第１紙媒体の画像を受信し、
前記受信した画像に基づく、前記第１紙媒体のオペレータによる認証結果の入力を、前記オペレータから受け付け、
前記オペレータによる認証結果を前記認証サーバに送信し、
前記認証サーバは、前記第１紙媒体が前記紙媒体情報に登録されていないこと、及び前記オペレータによる認証結果が失敗であること、の少なくとも一方が成立した場合、前記第１紙媒体の認証処理の結果が失敗であると判定する、システム。
【請求項８】
請求項１から７のいずれか一つに記載のシステムであって、
前記１以上の紙媒体それぞれの価値情報は、当該紙媒体に付与された仮想通貨金額を示す第１種情報を含み、
前記第１紙媒体に対する前記価値保証処理は、前記取得した価値情報に含まれる第１種情報を前記認証要求者端末に送信することである、システム。
【請求項９】
請求項８に記載のシステムであって、
仮想通貨保有者と前記仮想通貨保有者の仮想通貨残高との対応を示す仮想通貨残高情報を保持する仮想通貨管理サーバに接続され、
前記管理計算機は、前記１以上の紙媒体それぞれに付与される仮想通貨金額及び当該仮想通貨金額が減算される仮想通貨保有者を含む残高保留要求を、前記仮想通貨管理サーバに送信し、
前記仮想通貨管理サーバは、
前記残高保留要求に含まれる仮想通貨金額それぞれを、前記仮想通貨残高情報の、当該仮想通貨金額に対応する仮想通貨保有者の仮想通貨残高それぞれから減算し、
前記減算した仮想通貨金額それぞれを保留状態にし、
前記保留状態にした仮想通貨金額である保留残高それぞれに対して、前記保留残高を引き出すための保留残高引出情報を生成し、
前記生成した保留残高引出情報それぞれを、前記保留残高と対応付けて、前記仮想通貨残高情報に格納し、
前記生成した保留残高引出情報を前記管理計算機に送信し、
前記管理計算機は、前記紙媒体情報に含まれる前記１以上の紙媒体それぞれの第１種情報として、当該紙媒体に対応する保留残高引出情報を、前記認証サーバに送信する、システム。
【請求項１０】
請求項９に記載のシステムであって、
前記第１紙媒体の認証処理の結果が成功である場合、
前記認証要求者端末は、前記認証サーバから受信した第１種情報である第１保留残高引出情報と、前記第１保留残高引出情報に対応する保留残高を移動させる移動先を示す移動先情報と、を前記仮想通貨管理サーバに送信し、
前記仮想通貨管理サーバは、
前記仮想通貨残高情報から、前記第１保留残高引出情報に対応する保留残高を取得し、
前記取得した保留残高を前記移動先情報が示す移動先に移動させ、
前記仮想通貨残高情報から、前記第１保留残高引出情報と、前記第１保留残高引出情報に対応する保留残高と、を削除する、システム。
【請求項１１】
請求項１から１０のいずれか一つに記載のシステムであって、
前記認証サーバは、ネットワークを介して互いに接続されたブロックチェーンを構成する複数の計算機からなる、システム。
【請求項１２】
紙媒体の価値を保証する、サーバであって、
プロセッサと、記憶装置と、を含み、
１以上の紙媒体それぞれの画像特徴量と、前記１以上の紙媒体それぞれの価値情報と、を含む紙媒体情報を管理し、
前記画像特徴量は、紙を生成する過程で生じる当該紙に固有の物理的性質を示し、
前記プロセッサは、
第１紙媒体の画像特徴量を取得し、
前記第１紙媒体の画像特徴量と、前記紙媒体情報に含まれる画像特徴量と、の比較結果に基づいて、前記第１紙媒体が前記紙媒体情報に登録されているか否かの判定を実行し、
前記判定の結果に基づいて、前記第１紙媒体の認証処理を実行し、
前記第１紙媒体の認証処理の結果が成功である場合、前記紙媒体情報から、前記第１紙媒体に対応する価値情報を取得し、
前記第１紙媒体に対して、前記取得した価値情報に基づく価値保証処理を実行する、サーバ。
【請求項１３】
紙媒体価値付与システムが紙媒体に価値を付与する、方法であって、
前記紙媒体価値付与システムは、認証サーバと、第１紙媒体の画像特徴量を取得する認証要求者端末と、１以上の紙媒体それぞれの前記画像特徴量及び前記１以上の紙媒体それぞれの価値情報を含む紙媒体情報を管理する管理計算機と、を含み、
前記画像特徴量は、紙を生成する過程で生じる当該紙に固有の物理的性質を示し、
前記方法は、
前記管理計算機が、前記紙媒体情報を前記認証サーバに送信し、
前記認証要求者端末が、前記第１紙媒体の画像特徴量を、前記認証サーバに送信し、
前記認証サーバが、
前記第１紙媒体の画像特徴量と、前記紙媒体情報に含まれる画像特徴量と、の比較結果に基づいて、前記第１紙媒体が前記紙媒体情報に登録されているか否かの判定を実行し、
前記判定の結果に基づいて、前記第１紙媒体の認証処理を実行し、
前記第１紙媒体の認証処理の結果が成功である場合、
前記紙媒体情報から、前記第１紙媒体に対応する価値情報を取得し、
前記第１紙媒体に対して、前記取得した価値情報に基づく価値保証処理を実行する、方法。
【発明の詳細な説明】
【技術分野】
【０００１】
本発明は、紙媒体価値付与システム、紙媒体価値保証サーバ、及び紙媒体価値付与方法に関する。
【背景技術】
【０００２】
近年のＩＴ技術の発展に伴い、仮想通貨や電子マネー等の電子決済サービスが普及している。一方、人々は元来、紙幣や商品券のような紙媒体を介して取引を行っており、このような紙媒体を用いた取引に対する需要は、人々の間に未だ根強く残っている。つまり、価値を有する視認可能な有体物である紙媒体を授受することにより、取引による価値交換が確実に実行された安心感を覚える人々が相当数存在する。また、紙媒体は容易に入手可能であり、かつ取扱いが容易である反面、偽造も容易である。【０００３】
このような紙媒体を介した取引の安全性を高めるためには、紙媒体の偽造を防止し、紙媒体の原本性を担保する必要がある。紙媒体の原本性を担保するための技術として、特開２００４−１０２５６２号公報（以下、特許文献１）がある。特許文献１に記載の技術は、紙を形成する植物繊維が不定形に絡み合った状態で植物繊維が作り出すランダムなパターンが示す特徴量を用いて、紙の原本性を担保する。【０００４】
また、特開２００３−８５５９８号公報（以下、特許文献２）に記載の技術は、商品券に設けられた金属繊維を含むセキュリティ媒体の特徴データと、商品券の一連番号と、を対応付けてデータセンタに格納し、商品券使用時に、使用される商品券の特徴データと、データセンタに格納された、使用される商品券の一連番号に対応する特徴データと、を比較して、使用される商品券が真正なものであるかを確認する。【０００５】
また、特開２００７−６６２９３号公報（以下、特許文献３）に記載の技術は、ランダム埋込みパターン（例えば、着色繊維）を有する紙を証券に使用し、証券の発行時にパターンを記録する。
【先行技術文献】
【特許文献】
【０００６】
【特許文献１】特開２００４−１０２５６２号公報
【特許文献２】特開２００３−８５５９８号公報
【特許文献３】特開２００７−６６２９３号公報
【発明の概要】
【発明が解決しようとする課題】
【０００７】
紙媒体を用いて支払を行う場面において特許文献２及び特許文献３に記載の技術を適用すると、紙媒体の原本性を担保するために予め紙媒体に特殊な加工を施す必要があり、支払者はこれらの特殊な加工が施された紙媒体を事前に入手する必要がある。つまり、特許文献２及び特許文献３に記載の技術では、紙媒体の加工及び入手に、手間及び費用がかかる。【０００８】
このため、紙媒体に特殊な加工をすることなく、個々の紙媒体の原本性を担保することが必要とされている。特許文献２及び特許文献３では、予め加工がされた紙を用いており、紙媒体に特殊な処理を事前に施すことなく価値情報（支払金額）を付与し、かつ当該紙媒体を受け取った受領者が当該紙媒体を高精度に認証することは考慮されていない。また、このような紙媒体に特殊な加工をしない紙媒体の認証を課題とするものではない。【０００９】
より具体的には、特許文献２に記載の技術は、「商品券のセキュリティ性を高め、しかもその流通管理を通信回線を通じて迅速に行うことを可能に」することを目的としているのであって、本発明の目的の一つである、紙媒体に特殊な処理を事前に施すことなく価値情報を付与すること、を目的としていない。また、特許文献３に記載の技術は、「潜在的顧客が証券の買付けのため申し込み、証券を買付け、買付けた証券の受託機関への移管、買付け偽造不能ハードコピー証券のプリントアウト及び印刷された偽造不能ハードコピー証券のシステムへの再流通に便利な様々な場所に設置された複数の発行機を備えた証券発行システムを提供する」ことを目的としているのであって、本発明の目的の一つである、紙媒体に特殊な処理を事前に施すことなく価値情報を付与すること、を目的としていない。このため、特許文献２及び特許文献３に記載の発明は、本願発明が目的とする、紙媒体に特殊な加工をすることなく、個々の紙媒体の原本性を担保するものではない。【００１０】
また、例えば、仮想通貨の価値を受け渡す場合、仮想通貨保有者が仮想通貨を現実通貨に交換し、交換した現実通貨を受領者に受け渡す、又は受領者が仮想通貨のアカウントを登録し、仮想通貨保有者から仮想通貨を受け取る必要があった。【００１１】
仮想通貨保有者にとって、仮想通貨を現実通貨に交換する手間が発生するため、仮想通貨の利点が失われる。また、受領者にとって、仮想通貨のアカウントを登録する手間が発生する。【００１２】
上述の例では、仮想通貨保有者が仮想通貨を現実通貨へ交換することなく、かつ受領者が紙媒体を受け取ることにより、取引を実行することが望まれる。つまり、価値の受渡人（上述の例の仮想通貨保有者）が紙媒体に価値情報（上述の例の仮想通貨残高）を付与し、当該紙媒体を受け取った認証要求者（上述の例の受領者）が当該紙媒体を高精度に認証することが望まれる。ひいては、価値移動即ち取引を、誰とでも円滑にかつ安全に実行することが望まれる。【００１３】
また、仮想通貨に限らず、あらゆる価値の受け渡しにおいても同様の課題が生じる。例えば、ある特定の地域で利用可能な地域通貨（地域商品券）において、地域通貨の初期保有者（地域商品券の発行体）が、紙媒体に地域通貨を付与、即ち紙媒体に商品券としての価値を付与し、顧客を介して当該紙媒体を受け取った店舗が当該紙媒体を高精度に認証することが望まれる。【００１４】
そこで本発明の一態様は、紙媒体に特殊な処理を事前に施すことなく価値情報（支払金額）を付与し、かつ受領者が受け取った当該紙媒体を高精度に認証することを目的とする。ひいては、どのような二者間においても、価値移動即ち取引を、円滑にかつ安全に実行することを目的とする。
【課題を解決するための手段】
【００１５】
上記課題を解決するため、本発明の一態様は、例えば、以下の構成を採用する。紙媒体に価値を付与する、システムであって、認証サーバと、第１紙媒体の画像特徴量を取得する認証要求者端末と、１以上の紙媒体それぞれの前記画像特徴量及び前記１以上の紙媒体それぞれの価値情報を含む紙媒体情報を管理する管理計算機と、を含み、前記画像特徴量は、紙を生成する過程で生じる当該紙に固有の物理的性質を示し、前記管理計算機は、前記紙媒体情報を前記認証サーバに送信し、前記認証要求者端末は、前記第１紙媒体の画像特徴量を前記認証サーバに送信し、前記認証サーバは、前記第１紙媒体の画像特徴量と、前記紙媒体情報に含まれる画像特徴量と、の比較結果に基づいて、前記第１紙媒体が前記紙媒体情報に登録されているか否かの判定を実行し、前記判定の結果に基づいて、前記第１紙媒体の認証処理を実行し、前記第１紙媒体の認証処理の結果が成功である場合、前記紙媒体情報から、前記第１紙媒体に対応する価値情報を取得し、前記第１紙媒体に対して、前記取得した価値情報に基づく価値保証処理を実行する、システム。
【発明の効果】
【００１６】
本発明の一態様によれば、紙媒体に特殊な処理を事前に施すことなく価値を付与し、価値が付与された紙媒体を高精度に認証することができる。ひいては、どのような二者間においても、価値移動即ち取引、を円滑にかつ安全に実行させることができる。
【図面の簡単な説明】
【００１７】
【図１】実施例１における紙媒体価値付与システムの構成例を示すブロック図である。
【図２】実施例１における紙媒体価値付与システムにおいて実行される処理全体の例を示す概要図である。
【図３】実施例１における認証要求者テーブルの一例である。
【図４】実施例１における認証要求者履歴テーブルの一例である。
【図５】実施例１における紙媒体テーブルの一例である。
【図６】実施例１における紙媒体照合履歴テーブルの一例である。
【図７】実施例１において、認証要求者端末情報の新規登録処理の一例を示すシーケンス図である。
【図８】実施例１における、認証サーバによる認証要求者情報チェック処理の一例を示すシーケンス図である。
【図９】実施例１における紙媒体画像登録処理及び紙媒体価値登録処理の一例を示すシーケンス図である。
【図１０】実施例１における認証サーバ及び管理用端末による認証処理の一例を示すシーケンス図である。
【図１１】実施例１におけるシステム管理処理の一例を示すシーケンス図である。
【図１２】実施例１における認証要求者端末の全体処理の一例を示すフローチャートである。
【図１３】実施例１における撮影処理の一例を示すフローチャートである。
【図１４】実施例１における紙媒体画像送信処理の一例を示すフローチャートである。
【図１５】実施例１における認証サーバによる紙媒体画像認証処理の一例を示すフローチャートである。
【図１６】実施例１における管理用端末による紙媒体認証処理の一例を示すフローチャートである。
【図１７】実施例１における認証要求者端末の画面遷移の一例を示す図である。
【図１８Ａ】実施例１における認証要求者端末の起動画面の一例である。
【図１８Ｂ】実施例１における認証要求者端末の画面遷移の第二階層に含まれる表示画面の例である。
【図１８Ｃ】実施例１における認証要求者端末の紙媒体撮影処理画面群に含まれる表示画面の例である。
【図１８Ｄ】実施例１における認証要求者端末の紙媒体画像送信処理画面群に含まれる表示画面の例である。
【図１８Ｅ】実施例１における認証要求者端末の紙媒体状況確認画面の一例である。
【図１８Ｆ】実施例１における認証要求者端末の設定情報画面の一例である。
【図１９】実施例２における紙媒体価値付与システムにおいて実行される処理全体の例を示す概要図である。
【図２０】実施例２における仮想通貨管理サーバの構成例を示すブロック図である。
【図２１】実施例２における紙媒体画像登録処理及び紙媒体価値登録処理の一例を示すシーケンス図である。
【図２２】実施例２における認証サーバ及び管理用端末による認証処理の一例を示すシーケンス図である。
【図２３】実施例３における紙媒体価値付与システムにおいて実行される処理全体の例を示す概要図である。
【発明を実施するための形態】
【００１８】
以下、添付図面を参照して本発明の実施形態を説明する。本実施形態は本発明を実現するための一例に過ぎず、本発明の技術的範囲を限定するものではないことに注意すべきである。各図において共通の構成については同一の参照符号が付されている。
【００１９】
本実施形態は、紙媒体価値付与システムを説明する。本実施形態における紙媒体は、例えば、印字や印画がされていない紙媒体、金額情報が印字されている紙媒体、及び絵画や書道の作品等のあらゆる紙媒体を含む。本実施形態の紙媒体価値付与システムは、紙媒体の画像情報と、当該紙媒体の価値情報の入力を受け付け、当該紙媒体に価値を付与する。紙媒体の画像情報とは、紙を生成する過程（印刷を除く）で生じる当該紙に固有の物理的性質を示す情報である。つまり、当該画像情報は印字や印画によって変化しない情報である。
【００２０】
例えば、印字や印画がされていない紙媒体の画像情報と、価値情報の一例である仮想通貨残高の移動金額情報と、が紙媒体価値付与システムに登録された場合、当該紙媒体に当該移動金額が付与される。これにより、元来無価値であった当該紙媒体は、当該移動金額の価値を有する紙媒体になる。
【００２１】
また、例えば、美術品である紙媒体の画像情報と、価値情報の一例である当該美術品の作者名、作品名、及び当該美術品の鑑定証明情報等を含む原本性証明情報と、が紙媒体価値付与システムに登録された場合、当該美術品は当該原本性証明情報が示す価値を有する紙媒体になる。
【００２２】
紙媒体価値付与システムは、認証要求対象である第１紙媒体の画像情報と、予め登録された紙媒体の画像情報と、の比較結果に基づいて、第１紙媒体の認証処理を実行する。紙媒体価値付与システムは、認証処理の結果が成功であった場合に、予め登録された第１紙媒体に対応する価値情報に基づく価値保証処理を実行する。
【００２３】
本実施形態の紙媒体価値付与システムは、上述の処理により、あらゆる紙媒体に特殊な処理を施すことなく価値を付与し、当該紙媒体の価値が付与された紙媒体を高精度に認証することができる。また、二者間での取引、即ち価値移動を円滑にすることができる。
【実施例１】
【００２４】
図１は、本実施例の紙媒体価値付与システムの構成例を示す。本実施例の紙媒体価値付与システムは、認証サーバ１００、認証要求者端末２００、及び管理用端末３００を含む。紙媒体価値付与システムに含まれる各装置は、インターネット等のネットワーク４００を介して相互に接続されている。【００２５】
認証サーバ１００は、紙媒体の画像情報及び価値情報を保持し、認証要求者端末２００からの要求に応じて紙媒体の認証を実行する。認証サーバ１００は、例えば、認証センタに設置される。【００２６】
認証サーバ１００は、プロセッサ（ＣＰＵ）１０１、メモリ１０２、補助記憶装置１０３、入出力インターフェース１０４、及び通信インターフェース１０５を有する計算機によって構成される。【００２７】
プロセッサ１０１は、メモリ１０２に格納されたプログラムを実行する。メモリ１０２は、不揮発性の記憶素子であるＲＯＭ及び揮発性の記憶素子であるＲＡＭを含む。ＲＯＭは、不変のプログラム（例えば、ＢＩＯＳ）などを格納する。ＲＡＭは、ＤＲＡＭ（Ｄｙｎａｍｉｃ  Ｒａｎｄｏｍ  Ａｃｃｅｓｓ  Ｍｅｍｏｒｙ）のような高速かつ揮発性の記憶素子であり、プロセッサ１０１が実行するプログラム及びプログラムの実行時に使用されるデータを一時的に格納する。【００２８】
補助記憶装置１０３は、例えば、磁気記憶装置（ＨＤＤ）、フラッシュメモリ（ＳＳＤ）等の大容量かつ不揮発性の記憶装置であり、プロセッサ１０１が実行するプログラム及びプログラムの実行時に使用されるデータを格納する。すなわち、プログラムは、補助記憶装置１０３から読み出されて、メモリ１０２にロードされて、プロセッサ１０１によって実行される。【００２９】
なお、図１においてメモリ１０２に格納されているデータの一部又は全部が補助記憶装置１０３に格納されていてもよい。同様に、図１において補助記憶装置１０３に格納されたているデータの一部又は全部がメモリ１０２に格納されていてもよい。【００３０】
入出力インターフェース１０４は、キーボードやマウスやスキャナなどが接続され、オペレータからの入力を受けるインターフェースである。また、入出力インターフェース１０４は、ディスプレイ装置やプリンタなどが接続され、プログラムの実行結果をオペレータが視認可能な形式で出力するインターフェースでもある。【００３１】
通信インターフェース１０５は、所定のプロトコルに従って、他の装置との通信を制御するネットワークインターフェース装置である。また、通信インターフェース１０５は、例えば、ＵＳＢ等のシリアルインターフェースを含む。【００３２】
プロセッサ１０１が実行するプログラムは、リムーバブルメディア（ＣＤ−ＲＯＭ、フラッシュメモリなど）又はネットワーク４００を介して認証サーバ１００に提供され、非一時的記憶媒体である不揮発性の補助記憶装置１０３に格納される。このため、認証サーバ１００は、リムーバブルメディアからデータを読み込むインターフェースを有するとよい。【００３３】
メモリ１０２は、登録情報チェックプログラム１１１、紙媒体画像登録プログラム１１２、紙媒体画像認証プログラム１１３、価値保証プログラム１１４、管理情報操作プログラム１１５を格納する。例えば、プロセッサ１０１は、登録情報チェックプログラム１１１に従って動作することで、登録情報チェック部として機能し、紙媒体画像登録プログラム１１２に従って動作することで、紙媒体画像登録部として機能する。メモリ１０２に格納されている他のプログラムについても同様である。【００３４】
登録情報チェックプログラム１１１は、認証要求者端末２００から受信した、認証要求者端末２００の端末情報の登録処理及びチェック処理を行う。紙媒体画像登録プログラム１１２は、管理用端末３００から受信した紙媒体画像及び紙媒体の価値情報の登録処理を行う。【００３５】
紙媒体画像認証プログラム１１３は、認証要求者端末２００から受信した紙媒体画像の認証処理を実行する。価値保証プログラム１１４は、認証が成功した紙媒体画像に対して価値保証処理を実行する。管理情報操作プログラム１１５は、管理用端末３００からの要求に応じて、補助記憶装置１０３に格納された管理情報の操作処理を実行する。【００３６】
補助記憶装置１０３は、認証要求者テーブル１２０、認証要求者履歴テーブル１３０、紙媒体テーブル１４０、及び紙媒体照合履歴テーブル１５０を保持する。認証要求者テーブル１２０は、認証要求者ＩＤの更新情報を保持する。認証要求者履歴テーブル１３０は、認証要求者の情報を保持する。【００３７】
紙媒体テーブル１４０は、管理用端末３００の指示に従って登録された紙媒体の情報を保持する。紙媒体照合履歴テーブル１５０は、認証要求者端末２００からの要求に従って実施された、紙媒体の照合履歴の情報を保持する。【００３８】
なお、本実施形態では、補助記憶装置１０３が保持する各データがテーブル構造で表現されている例を説明する。しかし、本実施形態において、紙媒体価値付与システムの各装置が使用する情報は、データ構造に依存せずどのようなデータ構造で表現されていてもよい。例えば、テーブル、リスト、データベース又はキューから適切に選択したデータ構造体が、情報を格納することができる。【００３９】
認証要求者端末２００は、プロセッサ（ＣＰＵ）２０１、メモリ２０２、補助記憶装置２０３、入出力インターフェース２０４、通信インターフェース２０５、及びカメラ２０６を有する計算機によって構成される。認証要求者端末２００は、例えば、データ通信機能を有するスマートフォン、タブレット端末、又はＰＯＳ端末等であり、紙媒体の認証要求者が保有する端末である。【００４０】
プロセッサ２０１、メモリ２０２、補助記憶装置２０３、及び通信インターフェース２０５それぞれの説明は、プロセッサ１０１、メモリ１０２、補助記憶装置１０３、及び通信インターフェース１０５それぞれの説明と同様であるため、省略する。また、認証要求者端末２００は、自身の位置情報を取得するＧＰＳ等を含んでもよい。【００４１】
入出力インターフェース２０４は、認証要求者からの入力を受けるインターフェースであり、例えば、ディスプレイ装置の表示画面に重畳して設けられるタッチパネルや、音声が入力されるマイク等を含む。また、入出力インターフェース２０４は、プログラムの実行結果を認証要求者が視覚や聴覚で認識可能に出力するインターフェースであり、ディスプレイ装置やスピーカ等を含む。カメラ２０６は、認証要求者からの指示に従って、画像を撮影する装置である。カメラ２０６は、例えば、可視光カメラ及び赤外線カメラを含む。【００４２】
メモリ２０２は、端末情報登録要求プログラム２１１、紙媒体画像撮影プログラム２１２、紙媒体画像送信プログラム２１３、及び紙媒体状況確認プログラム２１４を含む。端末情報登録要求プログラム２１１は、認証サーバ１００に対して、認証要求者端末２００の端末情報の登録処理及びチェック処理を実行する要求を送信する。紙媒体画像撮影プログラム２１２は、カメラ２０６を用いて、紙媒体画像を撮影し、撮影した紙媒体画像を後述する紙媒体画像記憶領域２１５に格納する。【００４３】
紙媒体画像送信プログラム２１３は、紙媒体画像記憶領域２１５が保持する紙媒体画像を、認証サーバ１００に送信する。紙媒体状況確認プログラム２１４は、紙媒体画像記憶領域２１５を参照して、紙媒体画像の認証状況を出力する。【００４４】
補助記憶装置２０３は、紙媒体画像記憶領域２１５を含む。紙媒体画像記憶領域２１５は、紙媒体画像撮影プログラム２１２が撮影した紙媒体画像と、当該紙媒体画像の認証状況と、を格納する。【００４５】
管理用端末３００は、プロセッサ（ＣＰＵ）３０１、メモリ３０２、補助記憶装置３０３、入出力インターフェース３０４、及び通信インターフェース３０５を有する計算機によって構成される。管理用端末３００は、例えば、システム管理施設に設置される。なお、認証センタとシステム管理施設は同一の施設であってもよい。また、管理用端末３００は、例えば、データ通信機能を有するスマートフォン、又はタブレット端末等であってもよい。この場合、例えば、受渡人が管理用端末３００を保有する。【００４６】
プロセッサ３０１、メモリ３０２、補助記憶装置３０３、入出力インターフェース３０４、及び通信インターフェース３０５それぞれの説明は、プロセッサ１０１、メモリ１０２、補助記憶装置１０３、入出力インターフェース１０４、及び通信インターフェース１０５それぞれの説明と同様であるため、省略する。【００４７】
メモリ３０２は、紙媒体登録要求プログラム３１１、紙媒体認証登録プログラム３１２、管理情報操作要求プログラム３１３、及び価値保証プログラム３１４を含む。紙媒体登録要求プログラム３１１は、認証サーバ１００に対して、紙媒体画像と紙媒体の価値情報の登録を要求する。紙媒体認証登録プログラム３１２は、認証サーバ１００又は認証要求者端末２００から受信した紙媒体画像の認証処理を実行する。【００４８】
管理情報操作要求プログラム３１３は、認証サーバ１００に対して、補助記憶装置１０３に格納された各テーブルが示す管理情報の操作を要求する。価値保証プログラム３１４は、認証が成功した紙媒体画像に対して価値保証処理を実行する。【００４９】
補助記憶装置３０３は、認証結果記憶領域３１５を含む。認証結果記憶領域３１５は、紙媒体画像と、当該紙媒体画像の認証結果と、を格納する。【００５０】
本実施形態の紙媒体価値付与システムに含まれる装置それぞれは、物理的に一つの計算機上で、又は、論理的又は物理的に構成された複数の計算機上で構成される計算機システムであり、同一の計算機上で別個のスレッドで動作してもよく、複数の物理的計算機資源上に構築された仮想計算機上で動作してもよい。【００５１】
図２は、本実施例の紙媒体価値付与システムにおいて実行される処理全体の概要の一例を示す。まず、管理用端末３００は、紙媒体の受渡人から紙媒体の画像情報及び価値情報の入力を受け付け、入力された情報を認証サーバ１００に送信する。認証サーバ１００は、受信した紙媒体の画像情報と価値情報とを対応付けて保持する。これにより、当該紙媒体に価値が付与される。【００５２】
例えば、紙媒体に仮想通貨残高を付与する場合、付与対象の仮想通貨残高は、紙媒体の価値情報の一例である。また、例えば紙媒体に美術品としての原本性証明情報を付与する場合、原本性証明情報は紙媒体の価値情報の一例である。また、例えば、紙媒体に美術品としての鑑定額を付与する場合、鑑定額は紙媒体の価値情報の一例である。【００５３】
また、受渡人とは別のシステム管理者が管理用端末３００に紙媒体の画像情報及び価値情報を入力してもよい。この場合、例えば、認証サーバ１００に紙媒体の画像情報及び価値情報が登録された後、紙媒体はシステム管理者から受渡人へと受け渡される。【００５４】
続いて、取引を実行するために紙媒体が受渡人から認証要求者へと受け渡される。認証要求者は、認証要求者端末２００を用いて、受け取った紙媒体の認証を行う。認証要求者端末２００は、認証要求者から紙媒体の画像情報の入力を受け付け、入力された情報を認証サーバ１００に送信する。【００５５】
認証サーバ１００は、認証サーバ１００が保持する画像情報から、受信した画像情報と一致する画像を検索する。認証サーバ１００は、一致した画像情報に対応する価値情報を取得し、取得した価値情報が示す価値を紙媒体に保証する処理を実行する。【００５６】
具体的には、紙媒体に仮想通貨残高が付与された場合、認証サーバ１００から認証要求者端末２００への当該仮想通貨残高を引き出すための鍵の送信処理は、当該紙媒体に対する価値保証処理の一例である。また、紙媒体が美術品であり、当該紙媒体に原本性証明情報が付与された場合、認証サーバ１００による美術品の原本性証明データ作成処理は、当該紙媒体に対する価値保証処理の一例である。【００５７】
なお、認証要求者と受取人との間に、１以上の取引仲介者が介在してもよい。取引仲介者それぞれは、取引仲介者それぞれが有する認証要求者端末２００を用いて、紙媒体認証を認証サーバ１００に要求する。取引仲介者それぞれは、認証が成功した場合に次の受取人に紙媒体を受け渡す。なお、認証サーバ１００は、取引仲介者からの認証要求に対しては、紙媒体の認証処理のみを実施し、価値保証処理を実行しない。【００５８】
図３は、認証要求者テーブル１２０の一例である。認証要求者テーブル１２０は、例えば、認証要求者の識別情報を格納する認証要求者ＩＤ欄１２１、及び認証要求者ＩＤの更新回数を格納する更新回数欄１２２を含む。【００５９】
図４は、認証要求者履歴テーブル１３０の一例である。認証要求者履歴テーブル１３０は、例えば、認証要求者ＩＤ欄１３１、更新番号欄１３２、パスワード欄１３３、名称欄１３４、住所欄１３５、代表者名欄１３６、振込口座欄１３７、連絡先欄１３８、及び登録日時欄１３９を含む。認証要求者履歴テーブル１３０に格納される情報は、例えば、認証要求者端末２００から送信された情報である。【００６０】
認証要求者ＩＤ欄１３１は、認証要求者の識別情報を格納する。更新番号欄１３２は、対応する認証要求者ＩＤの実行済みの更新処理の識別情報を格納する。パスワード欄１３３は、認証要求者端末２００の認証サーバ１００へのログインパスワードを格納する。名称欄１３４は、認証要求者の名称を格納する。住所欄１３５は、認証要求者の住所を格納する。【００６１】
代表者名欄１３６は、認証要求者が所属する組織の代表者名を格納する。振込口座欄１３７は、認証要求者の振込先口座の銀行コード、預金種別コード、口座番号等の振込先口座情報を格納する。連絡先欄１３８は、認証要求者の電話番号やメールアドレス等の連絡先を格納する。登録日時欄１３９は、対応する認証要求者ＩＤが登録された日時を格納する。【００６２】
図５は、紙媒体テーブル１４０の一例である。紙媒体テーブル１４０は、例えば、紙媒体ＩＤ欄１４１、画像情報欄１４２、価値情報欄１４３、価値発行者ＩＤ欄１４４、認証要求者ＩＤ欄１４５、価値保証状況欄１４６、価値保証番号欄１４７、照合回数欄１４８、有効期間欄１４９、利用制限コード欄１６１、認証要求者情報欄１６２、及び受渡人情報欄１６３を含む。【００６３】
紙媒体ＩＤ欄１４１は、紙媒体の識別情報を格納する。画像情報欄１４２は、紙媒体画像及び紙媒体画像の特徴量を格納する。なお、本実施形態における紙媒体画像の特徴量は、紙を生成する過程（印刷を除く）で生じる当該紙に固有の物理的性質に従う情報を含む。ある紙媒体の印字内容が別の紙媒体に複写された場合であっても、双方の紙媒体の当該特徴量は異なる。従って、当該特徴量を用いた認証を実行することにより、紙媒体価値付与システムは、あらゆる紙媒体の認証処理を正確に実行することができる。【００６４】
例えば、紙媒体を構成する紙繊維パターンを示す特徴量は、当該特徴量の一例であり、紙を生成する過程で生じる物理的性質を示す。例えば、紙媒体上に印字がされたり汚れが生じたりしても、紙繊維パターンは変化せず、当該紙媒体の認証処理を正確に実行することができる。なお、紙に特殊な繊維パターン等を埋め込まずとも、紙には植物繊維が不定形に重なりあったランダムパターンが存在する。当該ランダムパターンを当該紙繊維パターンとして用いることにより、事前に特殊な加工が施されていない紙媒体であっても、認証処理を正確に実行することができる。【００６５】
価値情報欄１４３は、紙媒体の価値情報を格納する。紙媒体に仮想通貨残高が付与された場合には、価値情報欄１４３は付与された仮想通貨残高を格納する。また、紙媒体が美術品であり、紙媒体に原本性証明情報が付与された場合には、価値情報欄１４３は、例えば、当該原本性証明情報を格納する。【００６６】
価値発行者ＩＤ欄１４４は、管理用端末３００を用いて紙媒体画像及び価値情報の登録要求を送信した価値発行者、を識別する情報を格納する。図２の例では、価値発行者は受渡人と同一である。認証要求者ＩＤ１４５は、紙媒体の認証を許可された認証要求者ＩＤの識別情報を格納する。価値保証状況欄１４６は、対応する紙媒体に対して価値保証処理が実行されたか否かを示す情報を格納する。価値保証番号欄１４７は、対応する紙媒体に対する実行済みの価値保証処理を識別する情報を格納する。【００６７】
照合回数欄１４８は、対応する紙媒体に対して認証処理が実行された回数を格納する。有効期間欄１４９は、対応する紙媒体の有効期間を格納する。なお、有効期間欄１４９が示す有効期間は、始期及び終期の少なくとも一方によって指定されている。有効期間が始期又は終期の一方によって指定されている場合、他方についての制限がないことを示す。利用制限コード欄１６１は、対応する紙媒体の利用制限コードを格納する。利用制限コードは、対応する紙媒体の認証を否認するためのコード、及び対応する紙媒体の認証についての注意メッセージを管理用端末３００に送信するためのコードを含む。【００６８】
認証要求者情報欄１６２は、例えば、認証要求者の生体情報（手のひら静脈、指紋、又は瞳孔等）等の、認証要求者を特定する情報を格納する。受渡人情報欄１６３は、例えば、受渡人の生体情報や、受渡人の印鑑の印影等の、受渡人を特定する情報を格納する。認証要求者ＩＤ、認証要求者情報、及び受渡人情報それぞれは、紙媒体価値付与システムを操作するオペレータのオペレータ情報の一例である。【００６９】
なお、紙媒体テーブル１４０は、例えば、認証有効場所欄をさらに含んでもよい。認証有効場所欄は、例えば、対応する紙媒体の認証が有効である場所の範囲を示す情報を格納する。つまり、認証サーバ１００は、紙媒体の認証要求を送信した時点における認証要求者端末２００の位置が、当該紙媒体に対応する認証有効場所欄が示す場所の範囲に含まれない場合には、当該認証要求に対する認証結果を否認とする。【００７０】
図６は、紙媒体照合履歴テーブル１５０の一例である。紙媒体照合履歴テーブル１５０は、例えば、紙媒体ＩＤ欄１５１、照合番号欄１５２、認証要求者ＩＤ欄１５３、認証要求者端末ＩＤ欄１５４、撮影日時欄１５５、紙媒体画像欄１５６、及び否認理由欄１５７を含む。【００７１】
紙媒体ＩＤ欄１５１は、紙媒体の識別情報を格納する。照合番号欄１５２は、紙媒体画像の認証処理の識別情報を格納する。認証要求者ＩＤ欄１５３は、認証処理を要求した認証要求者の識別情報を格納する。認証要求者端末ＩＤ欄１５４は、認証処理を要求した認証要求者端末２００の識別情報を格納する。撮影日時欄１５５は、紙媒体画像の撮影日時を格納する。紙媒体画像欄１５６は、認証処理の対象となった紙媒体画像を格納する。否認理由欄１５７は、認証処理における結果が否認であった場合における否認理由を格納する。【００７２】
図７は、認証要求者端末２００の端末情報が認証サーバ１００に新規登録される処理の一例を示す。端末情報登録要求プログラム２１１は、認証要求者からの入力に従って、アプリケーションを起動し、端末情報新規登録用の起動画面を出力する（Ｓ７０１）。なお、本実施形態の認証要求者端末２００によって実行されるアプリケーションは、例えば、ネイティブアプリケーションであってもよいし、ブラウザベースのＷｅｂアプリケーションであってもよい。【００７３】
端末情報登録要求プログラム２１１は、認証要求者からの指示に従って、新規登録画面を出力する（Ｓ７０２）。新規登録画面の一例は、図１８Ｂを用いて後述する。認証要求者は、新規登録画面の指示に従って、認証要求者ＩＤとパスワードとを入力する。端末情報登録要求プログラム２１１は、認証要求者によって入力された認証要求者ＩＤとパスワードとを含む端末情報登録要求を認証サーバ１００に送信する（Ｓ７０３）。【００７４】
登録情報チェックプログラム１１１は、端末情報登録処理を実行する（Ｓ７０４）。具体的には、以下の処理が実行される。登録情報チェックプログラム１１１は、受信した端末情報登録要求に含まれる認証要求者ＩＤを認証要求者ＩＤ欄１２１及び認証要求者ＩＤ欄１３１に格納し、受信した端末情報登録要求に含まれるパスワードをパスワード欄１３３に格納し、現在日時を登録日時欄１３９に格納する。また、登録情報チェックプログラム１１１は、更新番号を発行し、発行した更新番号を更新番号欄１３２に格納し、更新回数欄１２２の値をインクリメントする。【００７５】
また、ステップＳ７０３において、端末情報登録要求プログラム２１１は、さらに、認証要求者の名称、住所、代表者名、振込口座情報、連絡先、等の情報の入力を、認証要求者から受け付け、当該情報を認証サーバ１００に送信してもよい。このとき、ステップＳ７０４において、登録情報チェックプログラム１１１は、認証要求者履歴テーブル１３０の対応するセルに受信した情報を格納する。【００７６】
登録情報チェックプログラム１１１は、ステップＳ７０４における登録結果を示す端末情報登録応答を、認証要求者端末２００に送信する（Ｓ７０５）。端末情報登録要求プログラム２１１は、メニュー画面を出力する（Ｓ７０６）。メニュー画面の一例は、図１８Ｂを用いて後述する。但し、受信した端末情報登録応答が示す登録結果がエラーである場合には、端末情報登録要求プログラム２１１は、メニュー画面を出力せず、例えば、当該エラーを示す内容を入出力インターフェース（表示画面）２０４に出力し、その後ステップＳ７０２に遷移する。【００７７】
図８は、認証サーバ１００による、認証要求者端末２００の端末情報チェック処理の一例を示す。端末情報登録要求プログラム２１１は、認証要求者からの入力に従って、アプリケーションを起動し、起動画面を出力する（Ｓ８０１）。【００７８】
認証要求者は、起動画面の指示に従って、認証要求者ＩＤとパスワードとを入力する。端末情報登録要求プログラム２１１は、認証要求者によって入力された認証要求者ＩＤとパスワードとを含む端末情報チェック要求を認証サーバ１００に送信する（Ｓ８０２）。登録情報チェックプログラム１１１は、受信した端末情報登録要求に含まれる認証要求者ＩＤとパスワードそれぞれを、認証要求者ＩＤ欄１３１に格納された認証要求者ＩＤとパスワード欄１３３に格納されたパスワードそれぞれと比較して、登録情報のチェック処理を実施する（Ｓ８０３）。【００７９】
登録情報チェックプログラム１１１は、ステップＳ８０３の端末情報チェック処理の処理結果を示す端末情報チェック応答を、認証要求者端末２００に送信する（Ｓ８０４）。端末情報登録要求プログラム２１１は、メニュー画面を入出力インターフェース２０４に出力する（Ｓ８０５）。但し、受信した端末情報チェック応答が示す処理結果がエラーである場合には、端末情報登録要求プログラム２１１は、メニュー画面を出力せず、当該エラーを示す内容を入出力インターフェース２０４（表示画面）に出力する。【００８０】
図９は、認証サーバ１００が紙媒体の画像及び価値を登録する処理の一例を示す。紙媒体登録要求プログラム３１１は、受渡人から１以上の紙媒体画像の入力を受け付ける（Ｓ９０１）。なお、入力される各紙媒体画像それぞれは、当該紙媒体の一部又は全部の画像である。紙媒体登録要求プログラム３１１は、入力された紙媒体画像それぞれに対して、下記のステップＳ９０２からステップＳ９０７の処理を繰り返す。【００８１】
紙媒体登録要求プログラム３１１は、受渡人から当該紙媒体の価値の入力を受け付ける（Ｓ９０２）。紙媒体登録要求プログラム３１１は、当該紙媒体画像と、Ｓ９０２で入力された当該紙媒体画像の価値と、Ｓ９０２における入力を行った受渡人のＩＤである価値発行者ＩＤと、を含む紙媒体登録要求を、認証サーバ１００に送信する（Ｓ９０３）。【００８２】
なお、紙媒体登録要求プログラム３１１は、ステップＳ９０２において、受渡人から、さらに認証要求者ＩＤ、有効期間、認証要求者情報、受渡人情報、認証有効時間、及び認証有効場所等の入力を受け付けてもよい。このとき、紙媒体登録要求プログラム３１１は、ステップＳ９０３において、入力された情報をさらに紙媒体登録要求に含める。【００８３】
続いて、紙媒体画像登録プログラム１１２は、受信した紙媒体登録要求に含まれる紙媒体画像から、画像の特徴量を抽出する（Ｓ９０４）。なお、ステップＳ９０１において紙媒体登録要求プログラム３１１が特徴量抽出処理を行い、ステップＳ９０３において紙媒体登録要求プログラム３１１が抽出した特徴量を紙媒体登録要求に含めてもよい。この場合、ステップＳ９０４が省略される。【００８４】
紙媒体画像登録プログラム１１２は、紙媒体ＩＤを発行し、発行した紙媒体ＩＤと抽出した特徴量と紙媒体登録要求に含まれる情報とを対応付けて紙媒体テーブル１４０に格納する（Ｓ９０５）。【００８５】
なお、例えば、抽出した特徴量と同一又は類似する特徴量を有する紙媒体の情報が紙媒体テーブル１４０に既に格納されている場合、紙媒体画像登録プログラム１１２は、ステップＳ９０５における登録処理を実行しない。具体的には、例えば、２つの特徴量の差のノルムが所定の閾値以下である場合に、紙媒体画像登録プログラム１１２は、２つの特徴量が同一又は類似であると判定する。【００８６】
紙媒体画像登録プログラム１１２は、ステップＳ９０５における登録結果を示す紙媒体登録応答を、管理用端末３００に送信する（Ｓ９０６）。紙媒体登録要求プログラム３１１は、受信した紙媒体登録応答が示す登録結果を、入出力インターフェース３０４に出力する（Ｓ９０７）。【００８７】
図１０は、紙媒体価値付与システムによる認証処理の一例を示す。紙媒体画像撮影プログラム２１２は、カメラ２０６を用いて１以上の認証要求対象の紙媒体の画像を撮影する（Ｓ１００１）。紙媒体画像撮影プログラム２１２は、各紙媒体画像を認証状況と対応付けて、紙媒体画像記憶領域２１５に格納する。なお、ステップＳ１００１の時点における各紙媒体画像の認証状況は「送信待ち」である。【００８８】
以下、ステップＳ１００１において撮影された各紙媒体画像に対して、以下のステップＳ１００２〜Ｓ１０１５の処理が実行される。また、ステップＳ１００１において撮影された複数の紙媒体画像に対して一括して、ステップＳ１００２〜Ｓ１０１５の処理が実行されてもよい。【００８９】
紙媒体画像送信プログラム２１３は、紙媒体画像を含む紙媒体画像チェック要求を認証サーバ１００に送信する（Ｓ１００２）。なお、紙媒体画像送信プログラム２１３は、例えば、紙媒体チェック要求送信時の認証要求者端末２００の位置情報を、紙媒体画像チェック要求に含めてもよい。紙媒体画像認証プログラム１１３は、受信した紙媒体画像チェック要求に含まれる紙媒体画像を、紙媒体画像欄１５６に格納する（Ｓ１００３）。紙媒体画像認証プログラム１１３は、当該紙媒体画像を受信した旨を示す紙媒体画像チェック応答を認証要求者端末２００に送信する（Ｓ１００４）。【００９０】
紙媒体画像送信プログラム２１３は、紙媒体画像チェック応答を受信し、紙媒体画像記憶領域２１５内の当該紙媒体画像の認証状況を「送信済み」に変更する（Ｓ１００５）。なお、例えば、ステップＳ１００２において紙媒体画像を含む紙媒体画像チェック要求を送信してから所定時間が経過した場合、紙媒体画像送信プログラム２１３は、紙媒体画像記憶領域２１５内の当該紙媒体画像の認証状況を「送信エラー」に変更する。【００９１】
紙媒体画像認証プログラム１１３は、受信した紙媒体画像から特徴量を抽出し、抽出した特徴量と、紙媒体テーブル１４０に登録されている各紙媒体画像の特徴量と、を用いて、当該紙媒体画像の認証処理を行う（Ｓ１００６）。即ち、紙媒体画像認証プログラム１１３は、受信した紙媒体画像と一致する紙媒体画像を紙媒体テーブル１４０から検索し、受信した紙媒体画像に対応する紙媒体ＩＤを特定する。ステップＳ１００６における認証処理の詳細は、図１５を用いて後述する。【００９２】
なお、ステップＳ１００２において、紙媒体画像送信プログラム２１３が紙媒体画像チェック要求に含まれる紙媒体画像の特徴量を抽出し、抽出した特徴量を紙媒体画像チェック要求に含めてもよい。【００９３】
紙媒体画像認証プログラム１１３は、管理用端末３００に、受信した紙媒体画像と、特定した紙媒体ＩＤと、認証結果と、を含む紙媒体認証通知を管理用端末３００に送信する（Ｓ１００７）。なお、ステップＳ１００７における認証結果は、例えば、認証が成功したか否かを示す情報を含み、認証が成功した場合には、当該紙媒体画像と同一であると認証された紙媒体テーブル１４０内の画像情報をさらに含む。また、認証が失敗した（否認された）場合、ステップＳ１００７〜Ｓ１００９及びステップＳ１０１１〜Ｓ１０１２の処理は省略されてもよい。【００９４】
紙媒体認証登録プログラム３１２は、受信した紙媒体画像を、認証結果記憶領域３１５に格納し、さらに、例えば、受渡人からの入力に従って、紙媒体画像の認証処理を実行する（Ｓ１００８）。なお、ステップＳ１００８における認証処理の詳細は、図１６を用いて後述する。紙媒体認証登録プログラム３１２は、ステップＳ１００８における認証結果を、受信した画像に対応付けて、認証結果記憶領域３１５に格納する。【００９５】
紙媒体認証登録プログラム３１２は、ステップＳ１００８における認証結果を含む紙媒体認証結果登録要求を認証サーバ１００に送信する（Ｓ１００９）。紙媒体画像認証プログラム１１３は、紙媒体認証結果を登録する（Ｓ１０１０）。具体的には、紙媒体画像認証プログラム１１３は、紙媒体認証結果登録要求が示す認証結果に基づいて紙媒体テーブル１４０及び紙媒体照合履歴テーブル１５０を更新する。【００９６】
紙媒体画像認証プログラム１１３は、認証結果の登録が完了した旨を示す紙媒体認証結果登録応答を、管理用端末３００に送信する（Ｓ１０１１）。紙媒体認証登録プログラム３１２は、ステップＳ１００８における認証結果を、入出力インターフェース３０４に出力する（Ｓ１０１２）。【００９７】
価値保証プログラム１１４は、認証結果が成功であった場合のみ、紙媒体テーブル１４０を参照して、紙媒体に対する価値保証処理を実行する（Ｓ１０１３）なお、ステップＳ１０１３の代わりに、ステップＳ１００８の後に、価値保証プログラム３１４が、価値保証処理を実行し、処理結果をステップＳ１００９における紙媒体認証結果登録要求に含めて、認証サーバ１００に送信してもよい。【００９８】
続いて、紙媒体画像認証プログラム１１３は、ステップＳ１０１０で登録された認証結果を含む紙媒体認証結果通知を、認証要求者端末２００に送信する（Ｓ１０１４）。紙媒体画像送信プログラム２１３は、紙媒体認証結果通知が示す認証結果に従って、紙媒体画像記憶領域２１５内のＳ１００２で送信した紙媒体の認証状況を更新する（Ｓ１０１５）。具体的には、例えば、紙媒体画像送信プログラム２１３は、認証結果が成功であった場合に当該紙媒体画像の認証状況を「認証済（ＯＫ）」に変更し、認証結果が失敗であった場合に当該紙媒体画像の認証状況を「認証済（ＮＧ）」に変更する。【００９９】
なお、管理用端末３００における認証処理、即ちステップＳ１００７〜Ｓ１００９、ステップＳ１０１１、及びステップＳ１０１２の処理は、省略されてもよい。このとき、紙媒体画像認証プログラム１１３は、ステップＳ１０１０において、ステップＳ１００６の認証処理による認証結果を登録する。【０１００】
また、例えば、一定時間ごと又はステップＳ１００６における一定件数の紙媒体画像の認証処理が実行されるごとのバッチ処理により、管理用端末３００における認証処理が実行されてもよい。このとき、紙媒体画像認証プログラム１１３は、ステップＳ１０１０において、ステップＳ１００９の紙媒体認証結果登録要求の受信を待たずに、ステップＳ１００６の認証処理による認証結果を登録する。【０１０１】
また、管理用端末３００による認証処理の後に、認証サーバ１００による認証処理が実行されてもよい。以下、この場合における、上述した処理との相違点を説明する。紙媒体画像認証プログラム１１３は、ステップＳ１００４の後にステップＳ１００６の処理を実行せず、ステップＳ１００７において管理用端末３００に当該紙媒体の画像を含む紙媒体認証通知を管理用端末３００に送信する。【０１０２】
ステップＳ１００９で受信した紙媒体認証結果登録応答が示す認証結果が成功である場合、紙媒体画像認証プログラム１１３は、ステップＳ１００６の紙媒体認証処理を実行し、ステップＳ１０１０において処理結果を登録する。紙媒体画像認証プログラム１１３は、ステップＳ１００９で受信した紙媒体認証結果登録応答が示す認証結果失敗である場合、ステップＳ１００６の処理を実行せず、ステップＳ１０１０において認証が失敗した旨の認証結果を登録し、ステップＳ１０１１の処理を実行しない。【０１０３】
図１１は、管理用端末３００によるシステム管理処理の一例を示す。以下、管理用端末３００が受渡人からの入力を受け付ける例を説明する。管理情報操作要求プログラム３１３は、受渡人から管理用のログイン画面表示命令を受け付け（Ｓ１１０１）、認証サーバ１００にログイン画面取得要求を送信する（Ｓ１１０２）。管理情報操作プログラム１１５は、ログイン画面の表示に必要な情報を含むログイン画面取得応答を管理用端末３００に送信する（Ｓ１１０３）。【０１０４】
管理情報操作要求プログラム３１３は、受信したログイン画面取得応答に含まれる情報を用いて、ログイン画面を出力する（Ｓ１１０４）。管理情報操作要求プログラム３１３は、受渡人から、管理用のログインＩＤとパスワードの入力を受け付ける（Ｓ１１０５）。管理情報操作要求プログラム３１３は、Ｓ１１０５で入力されたログインＩＤとパスワードを含むログイン要求を認証サーバ１００に送信する（Ｓ１１０６）。【０１０５】
管理情報操作プログラム１１５は、受信したログインＩＤとパスワードが正当であるか否かを判定し、ログイン結果を示すログイン応答を管理用端末３００に送信する（Ｓ１１０７）。なお、管理情報操作プログラム１１５は、受信したログインＩＤとパスワードが正当であると判定した場合、管理画面の表示に必要な情報をログイン応答に含める。また、管理情報操作プログラム１１５は、受信したログインＩＤとパスワードが正当でないと判定した場合、エラー画面の表示に必要な情報をログイン応答に含め、管理情報操作要求プログラム３１３はログイン応答に含まれる情報を用いてエラー画面を出力する。【０１０６】
以下のステップＳ１１０８以降の処理は、ログインが成功した場合にのみ行われる処理である。管理情報操作要求プログラム３１３はログイン応答に含まれる情報に従って、管理画面を表示する（Ｓ１１０８）。例えば、管理画面は、補助記憶装置１０３が保持する各テーブルの情報を含む管理情報の登録、参照、及び変更等の操作についての入力を受け付けるための領域を含む。また、管理画面は、ログアウト要求の入力を受け付けるための領域を含む。【０１０７】
また、管理画面は、紙媒体画像表示処理の実行指示の入力を受け付けるための領域、及び価値保証処理の実行指示の入力を受け付けるための領域をさらに含み、これらの領域は、後述する図１６の処理で利用される。【０１０８】
管理情報操作要求プログラム３１３は、受渡人から、管理情報の登録、参照、又は変更操作の入力を受け付ける（Ｓ１１０９）。管理情報操作要求プログラム３１３は、当該操作内容を含む、管理情報操作要求を認証サーバ１００に送信する（Ｓ１１１０）。管理情報操作プログラム１１５は、受信した管理情報操作要求が示す操作内容に従った管理情報の操作結果を含む、管理情報操作応答を管理用端末３００に送信する（Ｓ１１１１）。管理情報操作要求プログラム３１３は、受信した管理情報操作応答に含まれる操作結果を表示する（Ｓ１１１２）。【０１０９】
管理情報操作要求プログラム３１３は、受渡人から、ログアウト要求を受け付ける（Ｓ１１１３）。管理情報操作要求プログラム３１３は、ログアウト要求を認証サーバ１００に送信する（Ｓ１１１４）。管理情報操作プログラム１１５は、ログイン画面の表示に必要な情報を含むログアウト応答を管理用端末３００に送信する（Ｓ１１１５）。管理情報操作要求プログラム３１３は、受信したログアウト応答に含まれる情報に従って、ログイン画面を出力する（Ｓ１１１６）。【０１１０】
図１２は、認証要求者端末２００の全体処理の一例を示す。図１２の処理は、図７及び図８における認証要求者端末２００の処理に対応する。認証要求者端末２００が起動されると、端末情報登録要求プログラム２１１は起動画面を出力し、例えば、認証要求者からの指示に従って、認証要求者端末２００の情報が認証サーバに登録済か否かを判定する（Ｓ１２０１）認証要求者端末２００の情報が認証サーバ１００に未登録の場合（Ｓ１２０１：なし）、端末情報登録要求プログラム２１１は、新規登録画面を出力し（Ｓ１２０２）、認証要求者ＩＤとパスワードの入力を受け付ける。【０１１１】
認証要求者端末２００の情報が認証サーバ１００に登録済の場合（Ｓ１２０１：あり）、認証要求者ＩＤとパスワードの入力を受け付け、ステップＳ１２０３に遷移する。端末情報登録要求プログラム２１１は、認証要求者ＩＤとパスワードとを含む端末情報チェック要求を認証サーバ１００に送信する（Ｓ１２０３）。【０１１２】
端末情報登録要求プログラム２１１は、端末情報認証処理の処理結果を認証サーバ１００から受信する（Ｓ１２０４）。認証が成功した場合（Ｓ１２０４：ＯＫ）、ステップＳ１２０５に遷移する。認証が失敗した場合（Ｓ１２０４：ＮＧ）、ステップＳ１２０１に遷移する。【０１１３】
端末情報登録要求プログラム２１１は、メニュー画面を出力し、認証要求者からの要求に従って、メニューを選択する（Ｓ１２０５）。メニュー画面の詳細は、図１８Ｂを用いて後述する。メニュー画面から「紙媒体画像撮影」ボタンが操作された場合（Ｓ１２０５：紙媒体撮影）、紙媒体画像撮影プログラム２１２は、紙媒体画像の撮影処理を実行し（Ｓ１２０６）、撮影処理の終了後にステップＳ１２０５に戻る。【０１１４】
メニュー画面から「紙媒体画像送信」ボタンが操作された場合（Ｓ１２０５：紙媒体画像送信）、紙媒体画像送信プログラム２１３は、紙媒体画像の送信処理を実行し（Ｓ１２０７）、送信処理の終了後にステップＳ１２０５に戻る。メニュー画面から「紙媒体状況確認」ボタンが操作された場合（Ｓ１２０５：紙媒体状況確認）、紙媒体状況確認プログラム２１４は、状況確認処理を実行し（Ｓ１２０８）、状況確認処理の終了後にステップＳ１２０５に戻る。【０１１５】
メニュー画面から「設定情報」ボタンが操作された場合（Ｓ１２０５：設定情報）、紙媒体状況確認プログラム２１４は、設定情報画面を表示し（Ｓ１２０９）、例えば、認証要求者からの指示に従って、ステップＳ１２０５に戻る。メニュー画面から「終了」ボタンが操作された場合（Ｓ１２０５：終了）、認証要求者端末２００による処理が終了する。【０１１６】
図１３は、認証要求者端末２００による撮影処理（Ｓ１２０６）の一例を示す。図１３の処理は、図１０におけるステップＳ１００１の処理に対応する。紙媒体画像撮影プログラム２１２は、紙媒体撮影画面を出力する（Ｓ１３０１）。紙媒体撮影画面の詳細は、図１８Ｃを用いて後述する。紙媒体撮影画面において認証要求者が「キャンセル」ボタンを操作した場合（Ｓ１３０１：キャンセル）、紙媒体画像撮影プログラム２１２は撮影処理を終了する。【０１１７】
紙媒体撮影画面において認証要求者が紙媒体の撮影を実行した場合（Ｓ１３０１：撮影）、紙媒体画像撮影プログラム２１２は、紙媒体撮影確認画面を出力する（Ｓ１３０２）。紙媒体撮影確認画面の詳細は図１８Ｃを用いて後述する。紙媒体撮影確認画面において認証要求者が「保存」ボタンを操作した場合（Ｓ１３０２：保存）、紙媒体画像撮影プログラム２１２は撮影した紙媒体画像の認証状況を「送信待ち」として、撮影日時を含む紙媒体画像と認証状況とを紙媒体画像記憶領域２１５に格納する。【０１１８】
図１４は、認証要求者端末２００による紙媒体画像の送信処理（Ｓ１２０７）の一例を示す。図１４の処理は、図１０におけるステップＳ１００５の処理に対応する。紙媒体画像送信プログラム２１３は、紙媒体画像送信確認画面を出力する（Ｓ１４０１）。紙媒体画像送信確認画面の詳細は、図１８Ｄを用いて後述する。【０１１９】
紙媒体画像送信プログラム２１３は、紙媒体送信確認画面を介して、認証要求者から指示を受け付ける（Ｓ１４０２）。紙媒体画像送信確認画面において認証要求者が「キャンセル」ボタンを操作した場合又は画像を選択しなかった場合（Ｓ１４０２：ＮＯ）、紙媒体画像送信プログラム２１３は送信処理を終了する。【０１２０】
紙媒体画像送信確認画面において認証要求者が１以上の画像を選択した場合（Ｓ１４０２：ＹＥＳ）、紙媒体画像送信プログラム２１３は、紙媒体画像送信画面を出力する（Ｓ１４０３）。紙媒体画像送信画面の詳細は図１８Ｂを用いて後述する。【０１２１】
続いて、紙媒体画像送信プログラム２１３は、ステップＳ１４０２で選択された各未送信画像に対して、ステップＳ１４０５及びステップＳ１４０６の処理を実行し（Ｓ１４０４）、ステップＳ１４０１に遷移する。【０１２２】
紙媒体画像送信プログラム２１３は、紙媒体画像送信画面において認証要求者が「キャンセル」ボタンを操作したか否かを判定する（Ｓ１４０５）。キャンセルボタンが操作された場合（Ｓ１４０５：ＹＥＳ）、紙媒体画像送信プログラム２１３は、実行中の画像送信処理及び全ての未送信画像の送信処理を中止し、ステップＳ１４０１に遷移する。キャンセルボタンが選択されなかった場合（Ｓ１４０５：ＮＯ）、紙媒体画像送信プログラム２１３は当該未送信画像を認証サーバ１００に送信する（Ｓ１４０６）。【０１２３】
図１５は、認証サーバ１００による紙媒体画像認証処理の一例を示す。図１５の処理は、図１０におけるステップＳ１００３以降の認証サーバ１００の処理に対応する。紙媒体画像認証プログラム１１３は、認証要求者端末２００から受信した紙媒体画像のチェック処理を実施する（Ｓ１５０１）。【０１２４】
ステップＳ１５０１において、例えば、紙媒体画像認証プログラム１１３は、照合番号を発行する。紙媒体画像認証プログラム１１３は、発行した照合番号（以下、第１照合番号と呼ぶ）を照合番号欄１５２に、紙媒体画像を送信した認証要求者端末２００にログイン中の認証要求者ＩＤを認証要求者ＩＤ欄１５３に、紙媒体画像を送信した認証要求者端末２００のＩＤを認証要求者端末ＩＤ欄１５４に、受信した紙媒体画像に含まれる撮影日時を撮影日時欄１５５に、受信した紙媒体画像をメモリ２０２又は補助記憶装置２０３にそれぞれ格納する。その後、紙媒体画像認証プログラム１１３は、紙媒体画像を受信した旨を認証要求者端末に通知する。【０１２５】
続いて、紙媒体画像認証プログラム１１３は、受信した紙媒体画像から特徴量を抽出し、抽出した特徴量と、紙媒体テーブル１４０の画像情報欄１４２に格納されている各紙媒体画像の特徴量と、を比較し、受信した紙媒体画像の認証を実施する（Ｓ１５０２）。【０１２６】
ステップＳ１５０２における紙媒体画像認証処理の一例を説明する。紙媒体画像認証プログラム１１３は、例えば、受信した紙媒体画像の特徴量と、紙媒体テーブル１４０に格納されている特徴量それぞれと、の差のノルムを算出する。紙媒体画像認証プログラム１１３は、算出したノルムそれぞれを所定の減少関数に代入した値を、画像の類似度として算出する。つまり、特徴量の差のノルムが小さいほど、２つの画像はより類似している。【０１２７】
なお、例えば、紙媒体画像認証プログラム１１３は、紙媒体画像と併せて紙媒体ＩＤを受信した場合、例えば、紙媒体テーブル１４０を検索し、受信した紙媒体ＩＤと同一の紙媒体ＩＤを有する紙媒体画像のみに対して、受信した紙媒体画像との類似度を算出してもよい。なお、文字や二次元コード等の紙媒体ＩＤを示す情報が紙媒体に印字又は印画されている場合、紙媒体画像認証プログラム１１３は、文字認識や二次元コードの復号等を行って、紙媒体画像から紙媒体ＩＤを抽出してもよい。【０１２８】
受信した紙媒体ＩＤと同一の紙媒体ＩＤが紙媒体テーブル１４０に存在しない場合、紙媒体画像認証プログラム１１３は、紙媒体ＩＤを受信しなかったものとして再度ステップＳ１５０２の処理を実施してもよいし、同一紙媒体ＩＤが存在しなかった旨の否認理由を第１照合番号に対応する否認理由欄１５７に記録してステップＳ１５０８に遷移してもよい。受信した紙媒体ＩＤと同一の紙媒体ＩＤが紙媒体テーブル１４０に存在する場合、紙媒体画像認証プログラム１１３は、当該紙媒体ＩＤに対応する照合回数欄１４８の値をインクリメントし、第１照合番号に対応する紙媒体ＩＤ欄１５１に当該紙媒体ＩＤを格納する。【０１２９】
続いて、紙媒体画像認証プログラム１１３は、算出した類似度それぞれが所定の認証閾値以上であるか否かを判定する（Ｓ１５０３）。算出した全ての類似度が所定の認証閾値未満である場合（Ｓ１５０３：ＮＯ）、受信した紙媒体画像と類似する紙媒体画像が紙媒体テーブル１４０に登録されていない旨を示す否認理由を、第１照合番号に対応する否認理由欄１５７に格納し（Ｓ１５０４）、ステップＳ１５０８に遷移する。【０１３０】
所定の認証閾値以上である類似度が存在する場合（Ｓ１５０３：ＹＥＳ）、紙媒体画像認証プログラム１１３は、最大の類似度を選択する。紙媒体画像認証プログラム１１３は、選択した類似度に紙媒体テーブル１４０において対応する紙媒体画像（以下、当該紙媒体を第１紙媒体、第１紙媒体の画像を第１紙媒体画像と呼ぶ）の紙媒体ＩＤと、受信した紙媒体画像と、認証が成功したことを示す認証結果と、を含む紙媒体認証通知を管理用端末３００に送信する。なお、当該紙媒体ＩＤに対応する利用制限コード欄１６１に注意メッセージを示す値が格納されている場合、紙媒体画像認証プログラム１１３は、当該値が示す注意メッセージを、紙媒体認証通知に含める。紙媒体画像認証プログラム１１３は、管理用端末３００から管理用端末３００による認証結果を受信し、当該認証結果が成功であるか否かを判定する（Ｓ１５０５）。【０１３１】
なお、所定の認証閾値以上である類似度が存在する場合（Ｓ１５０３：ＹＥＳ）、紙媒体画像認証プログラム１１３は、第１紙媒体画像に対応する照合回数欄１４８の値をインクリメントし、第１紙媒体画像に対応する紙媒体ＩＤの値を紙媒体ＩＤ欄１４１から取得し、取得した紙媒体ＩＤの値を、第１照合番号に対応する紙媒体ＩＤ欄１５１に格納する。【０１３２】
なお、紙媒体画像認証プログラム１１３は、ステップＳ１５０３において、第１紙媒体画像の、認証要求者ＩＤ欄１４５、価値保証番号欄１４７、照合回数欄１４８、有効期間欄１４９、利用制限コード欄１６１、認証要求者情報欄１６２、及び受渡人情報欄１６３の少なくとも１つの情報を用いた認証処理をさらに行ってもよい。紙媒体画像認証プログラム１１３は、当該認証処理が成功である場合のみ、紙媒体認証通知を管理用端末３００に送信する。【０１３３】
なお、紙媒体画像認証プログラム１１３は、ステップＳ１５０２〜Ｓ１５０３における紙媒体画像の類似度を用いた認証処理に加え、以下に説明する情報を用いた認証処理を実行してもよい。紙媒体画像認証プログラム１１３は、当該認証処理において少なくとも１つの否認理由が記録された場合には、紙媒体認証通知を管理用端末３００に送信せず、ステップＳ１５０８に遷移する。紙媒体画像認証プログラム１１３は、当該認証処理をさらに実行することにより、より高いセキュリティレベルを確保することができる。以下、当該認証処理について説明する。【０１３４】
第１紙媒体画像の認証要求者ＩＤ欄１４５の値がｎｕｌｌ値でない場合、紙媒体画像認証プログラム１１３は、例えば、紙媒体画像を送信した認証要求者の認証要求者ＩＤと、当該認証要求者ＩＤ欄１４５に格納された認証要求者ＩＤとを比較する。紙媒体画像認証プログラム１１３は、当該比較において認証要求者ＩＤが一致しない場合、認証要求者が一致しない旨を示す否認理由を、第１照合番号に対応する否認理由欄１５７に格納する。【０１３５】
第１紙媒体画像の照合回数欄１４８が示す照合回数が所定の閾値以上である場合、紙媒体画像認証プログラム１１３は、例えば、第１紙媒体に対して許容された回数を超過した照合が実施された旨を示す否認理由を、第１照合番号に対応する否認理由欄１５７に格納する。なお、当該閾値は、紙媒体ごとに異なってもよく、紙媒体ごと当該閾値が異なる場合、例えば、各閾値は紙媒体テーブル１４０内に紙媒体ＩＤと紐づけて格納されている。【０１３６】
第１紙媒体画像の価値保証番号欄１４７の値がｎｕｌｌ値でない場合、紙媒体画像認証プログラム１１３は、当該紙媒体に既に価値保証済みである旨を示す否認理由を第１照合番号に対応する否認理由欄１５７に格納する。【０１３７】
第１紙媒体画像の有効期間欄１４９の値がｎｕｌｌ値でない場合、紙媒体画像認証プログラム１１３は、例えば、現在日時と第１紙媒体画像の有効期間欄１４９が示す日時とを比較して、現在日時が有効期間内であるか否かを判定する。現在日時が有効期間内でない場合、紙媒体画像認証プログラム１１３は、認証時刻が有効期間内でない旨を示す否認理由を第１照合番号に対応する否認理由欄１５７に格納する。【０１３８】
利用制限コード欄１６１に否認理由を示す値が格納されている場合、紙媒体画像認証プログラム１１３は、当該値が示す否認理由を、第１照合番号欄に対応する否認理由欄１５７に格納する。【０１３９】
認証要求者情報欄１６２の値がｎｕｌｌ値でない場合、例えば、紙媒体画像認証プログラム１１３は、認証要求者端末２００に認証要求者情報送信要求を送信する。認証要求者情報が手のひら静脈である場合、紙媒体画像撮影プログラム２１２は、認証要求者からの指示に従って、カメラ２０６を用いて認証要求者の手のひら静脈の画像を撮影する。紙媒体画像送信プログラム２１３は撮影した画像を認証サーバ１００に送信する。【０１４０】
紙媒体画像認証プログラム１１３は、受信した手のひら静脈の画像と、認証要求者情報欄１６２に格納された手のひら静脈の画像と、を比較する。紙媒体画像認証プログラム１１３は、当該比較において手のひら静脈の画像が一致しないと判定した場合、認証要求者情報が一致しない旨を示す否認理由を、第１照合番号に対応する否認理由欄１５７に格納する。【０１４１】
なお、認証要求者情報が、例えば、紙媒体に押印された印鑑のように、紙媒体上に印画されている場合、紙媒体画像認証プログラム１１３は、認証要求者情報送信要求を送信せず、紙媒体から認証要求者情報を抽出すればよい。【０１４２】
受渡人情報欄１６３がｎｕｌｌ値でない場合の処理は、認証要求者情報欄１６２の値がｎｕｌｌ値でない場合の処理と同様である。【０１４３】
紙媒体テーブル１４０が認証有効場所欄を含み、かつ紙媒体画像送信プログラム２１３が第１紙媒体についての紙媒体画像チェック要求を送信した時刻における認証要求者端末２００の位置が、認証有効場所欄が示す場所の範囲に含まれない場合、例えば、紙媒体画像認証プログラム１１３は、認証要求が認証有効場所で実行されなかった旨を示す否認理由を第１照合番号に対応する否認理由欄１５７に格納する。【０１４４】
なお、紙媒体画像認証プログラム１１３は、第１紙媒体に対応する価値情報に応じて、実行する認証処理を変更してもよい。例えば、第１紙媒体が商品券である場合、紙媒体画像認証プログラム１１３は、第１紙媒体の価値情報（商品券金額）が高いほど、多くの認証処理を実行してもよい。具体的には、例えば、第１紙媒体の金額が１０００円以下である場合には、紙媒体画像認証プログラム１１３は、紙媒体画像の類似度のみによる認証処理を実行する。例えば、第１紙媒体の金額が１０００円超かつ１００００円以下である場合には、紙媒体画像認証プログラム１１３は、紙媒体画像の類似度による認証処理に加え、紙媒体画像チェック要求受信時刻による認証処理を実行する。例えば、第１紙媒体の金額が１００００円超である場合には、紙媒体画像認証プログラム１１３は、紙媒体画像の類似度による認証処理及び紙媒体画像チェック要求受信時刻による認証処理に加え、紙媒体画像チェック要求送信時刻における認証要求者端末２００の位置情報による認証処理を実行する。【０１４５】
フローチャートの説明に戻る。ステップＳ１５０５において、管理用端末３００からの認証結果が失敗である場合（Ｓ１５０５：ＮＯ）、紙媒体画像認証プログラム１１３は、管理用端末３００における認証結果が失敗である旨を示す否認理由を、第１照合番号に対応する否認理由欄１５７に格納する（Ｓ１５０６）。なお、紙媒体画像認証プログラム１１３は、管理用端末３００から具体的な否認理由を受信した場合には、受信した否認理由を、第１照合番号に対応する否認理由欄１５７に格納してもよい。【０１４６】
管理用端末３００からの認証結果が成功である場合（Ｓ１５０５：ＹＥＳ）、価値保証プログラム１１４は、第１紙媒体画像に対応する価値情報を価値情報欄１４３から取得し、価値保証処理を実行する（Ｓ１５０７）。価値保証プログラム１１４は、ステップＳ１５０８において、例えば、価値保証番号を発行し、発行した価値保証番号を第１紙媒体画像に対応する価値保証番号欄１４７に格納し、第１紙媒体画像に対応する価値保証状況欄１４６の値を「価値保証済」に変更する。なお、ステップＳ１５０７の価値保証処理は、管理用端末３００によって実行されてもよい。【０１４７】
紙媒体画像認証プログラム１１３は、認証要求者端末２００に対して、認証結果を含む紙媒体認証結果通知を、認証要求者端末２００に送信する（Ｓ１５０８）。なお、紙媒体画像認証プログラム１１３は、認証を否認した場合には、否認理由を紙媒体認証結果通知にさらに含めてもよい。【０１４８】
図１６は、管理用端末３００による紙媒体認証処理の一例を示す。以下、受渡人が管理用端末３００を操作する例を説明する。図１６の処理は、図１０におけるステップＳ１００８、Ｓ１００９、Ｓ１０１１、及びＳ１０１２の処理に対応する。管理情報操作要求プログラム３１３は、ログイン画面を出力する（Ｓ１６０１）。管理情報操作要求プログラム３１３は、例えば、受渡人からログインＩＤとパスワードの入力を受け付け、入力されたログインＩＤとパスワードの組み合わせが正当であるか否かを判定する（Ｓ１６０２）。【０１４９】
入力されたログインＩＤとパスワードの組み合わせが正当でない場合（Ｓ１６０２：ログイン失敗）、ステップＳ１６０１に戻る。入力されたログインＩＤとパスワードの組み合わせが正当である場合（Ｓ１６０２：ログイン成功）、管理情報操作要求プログラム３１３は、管理画面を出力する（Ｓ１６０３）。【０１５０】
管理情報操作要求プログラム３１３は、受渡人からログアウト要求を受け付けた場合（Ｓ１６０３：ログアウト）、ログアウト処理を実行し、ログアウト画面を出力し（Ｓ１６０４）、認証処理を終了する。ステップＳ１６０１〜Ｓ１６０４の処理は、図１１のステップＳ１１０１〜Ｓ１１０８、Ｓ１１１３〜Ｓ１１１６の処理と同様であるため詳細を省略する。【０１５１】
受渡人が紙媒体画像表示処理の実行を指示した場合（Ｓ１６０３：画像表示）、紙媒体認証登録プログラム３１２は、紙媒体画像表示画面を出力する（Ｓ１６０５）。紙媒体画像表示画面は、例えば、認証結果記憶領域３１５に格納された紙媒体画像を表示する領域と、各紙媒体画像の管理用端末３００による認証結果を表示する領域と、管理用端末３００による認証処理が実行されていない各紙媒体画像の認証結果が入力される領域と、利用制限コードが示す注意メッセージを表示する領域と、キャンセルボタンと、を含む。【０１５２】
受渡人によってキャンセルボタンが選択された場合（Ｓ１６０７：キャンセル）、ステップＳ１６０３に遷移する。受渡人によって１以上の紙媒体画像の認証結果が入力された場合（Ｓ１６０７：認証結果）、紙媒体認証登録プログラム３１２は、入力された認証結果それぞれを、認証結果記憶領域３１５の当該１以上の紙媒体画像に、対応付けて格納し（Ｓ１６０８）、ステップＳ１６０３に遷移する。【０１５３】
上述のステップＳ１６０７において、受渡人の目視による認証結果が手動処理で入力されているが、自動処理で実行されてもよい。例えば、紙媒体に予め受渡人の印鑑が押印され、補助記憶装置３０３に紙媒体と印影との対応情報が格納されている場合、紙媒体認証登録プログラム３１２は、紙媒体画像から印影を抽出し、当該対応情報内に抽出した印影と同一の印影が存在するか否かを判定することによって認証処理を行ってもよい。認証サーバ１００による認証処理に加え、管理用端末３００が別の認証処理を行うことにより、認証のセキュリティレベルが向上する。【０１５４】
ステップＳ１６０３において、受渡人が価値保証処理の実行を指示した場合（Ｓ１６０３：価値保証）、価値保証プログラム３１４は、価値保証処理を実行し（Ｓ１６０６）、ステップＳ１６０３に遷移する。【０１５５】
以下、ステップＳ１６０６における処理の一例を説明する。価値保証プログラム３１４は、例えば、認証結果記憶領域３１５から認証結果が成功である紙媒体画像を取得して、表示する。表示された紙媒体画像から受渡人によって１以上の紙媒体画像が選択された場合、価値保証プログラム３１４は、当該１以上の紙媒体画像の紙媒体ＩＤを含む、価値情報送信要求を認証サーバ１００に送信する。【０１５６】
価値保証プログラム３１４は、認証サーバ１００から当該１以上の紙媒体画像それぞれの紙媒体テーブル１４０に含まれる価値情報を受信し、当該１以上の紙媒体画像それぞれに対して価値保証処理を実行する。なお、管理用端末３００は、紙媒体ＩＤと価値情報の組み合わせを示す情報を保持してもよく、この場合、価値保証プログラム３１４は、価値情報送信要求を送信せず、管理用端末３００内の当該情報を用いて価値保証処理を実行してもよい。【０１５７】
図１７は、認証要求者端末２００の画面遷移の一例を示す。認証要求者端末２００の表示画面は、第一階層１７０１、第二階層１７０２、紙媒体撮影処理画面群１７０３、紙媒体画像送信処理画面群１７０４、紙媒体状況確認画面１７８０、及び設定情報画面１７９０を含む。【０１５８】
第一階層１７０１は、認証要求者端末２００の起動時に表示される起動画面１７１０を含む。第二階層１７０２は、第一階層１７０１に含まれる起動画面１７１０から遷移する画面群であり、認証要求者端末２００の端末情報を認証サーバ１００に新規登録するための新規登録画面１７２０、及び認証要求者端末２００が実行する処理を選択するためのメニュー画面１７３０を含む。なお、認証要求者端末２００が、新規登録画面１７２０を用いた端末情報登録処理が正常に終了した旨の通知を認証サーバ１００から受信した場合、表示画面が新規登録画面１７２０からメニュー画面１７３０に遷移してもよい。【０１５９】
紙媒体撮影処理画面群１７０３は、メニュー画面１７３０から遷移する画面群であり、紙媒体画像の撮影を実行するための紙媒体撮影画面１７４０、及び撮影した紙媒体画像を表示する紙媒体撮影確認画面１７５０を含む。紙媒体画像送信処理画面群１７０４は、メニュー画面１７３０から遷移する画面群であり、認証サーバ１００に送信する紙媒体画像を表示する紙媒体画像送信確認画面１７６０、及び紙媒体画像の送信状況を表示する紙媒体画像送信画面１７７０を含む。紙媒体状況確認画面１７８０は、紙媒体画像の認証状況を表示する。設定情報画面１７９０は、設定情報を表示する。【０１６０】
図１８Ａは、起動画面１７１０の一例である。起動画面１７１０は、例えば、認証要求者ＩＤ入力領域１７１１、パスワード入力領域１７１２、ログインボタン１７１３、及び新規登録画面遷移ボタン１７１４を含む。認証要求者ＩＤ入力領域１７１１は、認証要求者ＩＤの入力を受け付ける。パスワード入力領域１７１２は、パスワードの入力を受け付ける。【０１６１】
認証要求者ＩＤ入力領域１７１１に認証要求者ＩＤが、パスワード入力領域１７１２にパスワードが、それぞれ入力された状態でログインボタン１７１３が選択されると、認証サーバ１００へのログイン処理が実行される。ログインが成功すると、メニュー画面１７３０に遷移する。新規登録画面遷移ボタン１７１４は、新規登録画面１７２０へ遷移するためのボタンである。【０１６２】
図１８Ｂは、第二階層１７０２に含まれる表示画面の例である。新規登録画面１７２０は、例えば、認証要求者ＩＤ入力領域１７２１、パスワード入力領域１７１２、及び登録ボタン１７２３を含む。認証要求者ＩＤ入力領域１７２１は、認証要求者ＩＤの入力を受け付ける。パスワード入力領域１７２２は、パスワードの入力を受け付ける。【０１６３】
認証要求者ＩＤ入力領域１７２１に認証要求者ＩＤが、パスワード入力領域１７２２にパスワードが、それぞれ入力された状態で登録ボタン１７２３が選択されると、認証要求者端末２００の情報が認証サーバ１００に送信される。なお、新規登録画面１７２０は、認証要求者の名称、住所、代表者名、振込口座情報、連絡先、等の情報の入力を受け付けるために領域を、さらに含んでもよい。【０１６４】
メニュー画面１７３０は、例えば、紙媒体撮影画面１７４０に遷移するための紙媒体撮影画面遷移ボタン１７３１、紙媒体画像送信確認画面１７６０に遷移するための紙媒体画像送信確認画面遷移ボタン１７３２、紙媒体状況確認画面１７８０に遷移するための紙媒体状況確認画面遷移ボタン１７３３、設定情報画面１７９０に遷移するための設定情報画面遷移ボタン１７３４、及び起動画面１７１０に遷移する又は認証要求者端末２００をシャットダウンするための終了ボタン１７３５を含む。【０１６５】
図１８Ｃは、紙媒体撮影処理画面群１７０３に含まれる表示画面の例である。紙媒体撮影画面１７４０は、例えば、画像表示領域１７４１、撮影ボタン１７４２、及びキャンセルボタン１７４３を含む。画像表示領域１７４１はカメラ２０６のレンズが捉えた画像を表示する。撮影ボタン１７４２は、画像表示領域１７４１に表示された画像の撮影を実行し、紙媒体撮影確認画面１７５０に遷移するためのボタンである。キャンセルボタン１７４３は、紙媒体撮影処理を中止し、メニュー画面１７３０に遷移するためのボタンである。【０１６６】
紙媒体撮影確認画面１７５０は、例えば、撮影画像表示領域１７５１、保存ボタン１７５２、及びキャンセルボタン１７５３を含む。撮影画像表示領域１７５１は、撮影ボタン１７４２が選択されたことにより撮影された画像を表示する。保存ボタン１７５２は、撮影画像表示領域１７５１に表示された画像を紙媒体画像記憶領域２１５に保存するためのボタンである。キャンセルボタン１７５３は、紙媒体撮影画面１７４０に遷移するためのボタンである。なお、キャンセルボタン１７５３が選択された場合に、メニュー画面１７３０に遷移してもよい。【０１６７】
図１８Ｄは、紙媒体画像送信処理画面群１７０４に含まれる表示画面の例である。紙媒体画像送信確認画面１７６０は、例えば、送信待ち画像表示領域１７６１、送信ボタン１７６２、及びキャンセルボタン１７６３を含む。送信待ち画像表示領域１７６１は、例えば、認証状況が「送信待ち」であって、紙媒体画像記憶領域２１５に含まれる紙媒体画像を表示する。【０１６８】
送信ボタン１７６２は、送信待ち画像表示領域１７６１に表示された画像の送信処理を実行し、紙媒体画像送信画面１７７０に遷移するためのボタンである。キャンセルボタン１７６３は、メニュー画面１７３０に遷移するためのボタンである。なお、紙媒体送信待ち画像表示領域１７６１は、表示された各画像に対応するチェックボックスをさらに含んでもよく、送信ボタン１７６２が選択された場合、チェックボックスにチェックが入れられた画像のみに対して送信処理が実行される。【０１６９】
紙媒体画像送信画面１７７０は、例えば、送信状況表示領域１７７１、及びキャンセルボタン１７７２を含む。送信状況表示領域１７７１は、例えば、認証状況が「送信中」、「送信済」、又は「送信エラー」であって、紙媒体画像記憶領域２１５に格納された、紙媒体画像、及び当該紙媒体画像の送信状況を表示する。キャンセルボタン１７７２は、紙媒体画像送信確認画面１７６０に遷移するためのボタンである。なお、キャンセルボタン１７７２が選択された場合に、メニュー画面１７３０に遷移してもよい。【０１７０】
図１８Ｅは、紙媒体状況確認画面１７８０の一例である。紙媒体状況確認画面１７８０は、例えば、認証状況表示領域１７８１、及びキャンセルボタン１７８２を含む。認証状況表示領域１７８１は、例えば、認証状況が「送信中」、「送信済」、「送信エラー」、「認証済（ＯＫ）」、又は「認証済（ＮＧ）」であって、紙媒体画像記憶領域２１５に含まれる紙媒体画像、及び当該紙媒体画像の認証状況を表示する。キャンセルボタン１７８２は、メニュー画面１７３０に遷移するためのボタンである。【０１７１】
図１８Ｆは、設定情報画面１７９０の一例である。設定情報画面１７９０は、例えば、バージョン情報表示領域１７９１、認証要求者名称表示領域１７９２、及びキャンセルボタン１７９３を含む。バージョン情報表示領域１７９１は、紙媒体価値付与システムのバージョン情報を表示する。認証要求者名称表示領域１７９２は、認証要求者の名称を表示する。キャンセルボタン１７９３は、メニュー画面１７３０に遷移するためのボタンである。【０１７２】
以上、本実施例において、受渡人は、管理用端末３００に、紙媒体の画像情報と紙媒体の価値情報とを入力し、認証サーバ１００は管理用端末に入力された、画像情報に含まれる画像特徴量と、価値情報と、を予め登録する。認証サーバ１００は、認証要求者端末２００から受信した紙媒体画像が示す特徴量と、予め登録された特徴量と、を比較し、比較結果に基づく認証処理を実行する。認証処理が成功した場合、認証サーバ１００は、予め登録された対応する価値情報を用いた価値保証処理を実行する。【０１７３】
これにより、本実施例の紙媒体価値付与システムは、あらゆる紙媒体に特殊な処理を施すことなく価値を付与し、当該紙媒体を高精度に認証することができる。例えば、特に管理用端末３００が、受渡人が所持するスマートフォン等の携帯端末である場合には、受渡人は、特殊な加工を施すことなくその場で、あらゆる紙媒体を、高精度に認証が可能な価値媒体へと変化させることができる。また、本実施例の紙媒体価値付与システムが用いられることにより、受渡人と認証要求者との間での紙媒体の移動によって両者間での取引が成立するため、両者間の取引、即ち価値移動を容易に実行することができる。【０１７４】
また、紙媒体価値付与システムは、受渡人が指定した任意の価値情報を紙媒体に付与することができる。これにより、紙媒体価値付与システムは、例えば、高額な価値（例えば、仮想通貨残高や商品券金額等）を紙媒体に付与することができ、この場合、当該紙媒体は、同等の価値を有する紙幣等の現実通貨と比較して可搬性に優れている。【０１７５】
また、例えば、紙媒体価値付与システムは、任意の印字状態の紙媒体に対して価値を付与し、正確に当該紙媒体の認証を実行することができる。これにより、例えば、紙媒体価値付与システムが、金額情報が印字されていない紙媒体に高額の価値を付与した場合等においては、当該紙媒体の価値を人間が目視で判断することはできないため、高額の価値が付与された紙媒体であっても盗難等のリスクを軽減することができる。
【実施例２】
【０１７６】
本実施例の紙媒体価値付与システムは、仮想通貨残高を紙媒体に付与する処理を実行する。本実施例では、価値情報の一例として、紙媒体に付与されている仮想通貨残高を引き出すための鍵が用いられる。【０１７７】
図１９は、本実施例の紙媒体価値付与システムにおいて実行される処理全体の概要の一例を示す。本実施例の価値付与システムは、仮想通貨を管理する仮想通貨管理サーバ５００をさらに含む。本実施例の仮想通貨管理サーバ５００は、ネットワーク４００を介して認証サーバ１００、認証要求者端末２００、及び管理用端末３００に接続されている。仮想通貨管理サーバ５００の詳細は図２０を用いて後述する。なお、認証サーバ１００が仮想通貨管理サーバ５００の処理を行ってもよい。【０１７８】
管理用端末３００は、紙媒体の画像情報及び価値情報と、紙媒体に移動させる仮想通貨残高と、の入力を受渡人から受け付け、入力された移動残高を含む残高保留要求を、仮想通貨管理サーバ５００に送信する。仮想通貨管理サーバ５００は、受渡人の仮想通貨残高から残高保留要求に含まれる移動残高を減算し、移動残高を保留状態にする。仮想通貨管理サーバ５００は、保留状態の移動残高、即ち保留残高を引き出すための保留残高引出鍵を作成し、管理用端末３００に送信する。なお、保留残高引出鍵は、対応する保留残高を示す情報を含む。保留残高は、保留残高引出鍵のみによって引き出すことができる。【０１７９】
続いて、管理用端末３００は、入力された画像情報と受信した保留残高引出鍵とを認証サーバ１００に送信する。認証サーバ１００は、受信した紙媒体の画像情報と保留残高引出鍵とを対応付けて保持する。これにより、当該紙媒体に移動残高が付与される。【０１８０】
なお、受渡人とは別のシステム管理者が管理用端末３００に紙媒体の画像情報及び紙媒体に移動させる残高を入力してもよい。この場合、例えば、認証サーバ１００に紙媒体の画像情報及び紙媒体に移動させる残高が登録された後、紙媒体はシステム管理者から受渡人へと受け渡される。【０１８１】
続いて、紙媒体が受渡人から認証要求者へと受け渡される。認証要求者は、認証要求者端末２００を用いて、受け取った紙媒体の認証を行う。認証要求者端末２００は、認証要求者から認証要求対象の紙媒体の画像情報の入力を受け付け、認証サーバ１００に送信する。【０１８２】
具体的には、認証サーバ１００は、認証サーバ１００が保持する画像情報から、受信した画像情報と一致する画像情報を検索する。当該一致する画像情報が存在する場合、認証サーバ１００は、当該画像情報に対応する保留残高引出鍵を取得する。認証サーバ１００は、取得した保留残高引出鍵を認証要求者端末２００に送信する、価値保証処理を実行する。【０１８３】
認証要求者端末２００は、認証要求者の指示に従って、保留残高鍵を含む保留残高移動要求を仮想通貨管理サーバ５００に送信する。仮想通貨管理サーバ５００は、保留残高移動鍵に対応する保留残高を認証要求者に移動させる。具体的には、仮想通貨管理サーバ５００は、当該保留残高を認証要求者の仮想通貨残高に移動させる処理、又は当該保留残高に相当する現実通貨の金額を認証要求者の銀行口座に振り込むための振込データを作成する処理等を実行する。【０１８４】
なお、認証要求者と受取人との間に、１以上の取引仲介者が介在してもよい。取引仲介者それぞれは、取引仲介者それぞれが有する認証要求者端末２００を用いて、紙媒体認証を認証サーバ１００に要求する。取引仲介者それぞれは、認証が成功した場合に次の受取人に紙媒体を受け渡す。なお、認証サーバ１００は、取引仲介者からの認証要求に対しては、紙媒体の認証処理のみを実施し、価値保証処理を実行しない。【０１８５】
図２０は、仮想通貨管理サーバ５００の構成例を示す。仮想通貨管理サーバ５００は、プロセッサ（ＣＰＵ）５０１、メモリ５０２、補助記憶装置５０３、入出力インターフェース５０４、及び通信インターフェース５０５を有する計算機によって構成される。仮想通貨管理サーバ５００は、例えば、仮想通貨管理業者が保有する。また、仮想通貨管理サーバ５００は、特定の仮想通貨管理業者によって保有されなくてもよく、例えば、分散型のコンピュータネットワークにより接続された複数の計算機により構成されてもよい。【０１８６】
プロセッサ５０１、メモリ５０２、補助記憶装置５０３、入出力インターフェース５０４、及び通信インターフェース５０５それぞれの説明は、プロセッサ１０１、メモリ１０２、補助記憶装置１０３、入出力インターフェース１０４、及び通信インターフェース１０５それぞれの説明と同様であるため、省略する。【０１８７】
メモリ５０２は、仮想通貨残高管理プログラム５１１と保留残高引出鍵生成プログラム５１２とを格納する。仮想通貨残高管理プログラム５１１は、後述する仮想通貨残高テーブル５２０に格納された仮想通貨残高の登録、更新、参照等の管理処理を実行する。保留残高引出鍵生成プログラム５１２は、保留残高引出鍵を生成する。【０１８８】
補助記憶装置５０３は、仮想通貨残高テーブル５２０を保持する。仮想通貨残高テーブル５２０は、仮想通貨を保有する顧客の識別情報（仮想通貨管理サーバ５００へのログインＩＤ）、当該識別情報に対応するパスワード、当該顧客の仮想通貨残高、当該顧客の保留状態の仮想通貨残高、及び保留状態の仮想通貨残高それぞれを引き出すための保留残高引出鍵を関連付けて保持する。【０１８９】
図２１は、本実施例において、認証サーバ１００が紙媒体の画像及び価値を登録する処理の一例を示す。紙媒体登録要求プログラム３１１は、受渡人から１以上の紙媒体画像の入力を受け付ける（Ｓ２１０１）。なお、入力される各紙媒体画像は、当該紙媒体の一部又は全部の画像である。紙媒体登録要求プログラム３１１は、入力された紙媒体画像それぞれに対して、下記のステップＳ２１０２〜Ｓ２１１１の処理を繰り返す。以下、受渡人が管理用端末３００を操作する例を説明する。【０１９０】
紙媒体登録要求プログラム３１１は、当該紙媒体に移動させる仮想通貨の残高、受渡人の仮想通貨管理サーバ５００へのログインＩＤ、及びパスワードの入力を、受渡人から受け付ける（Ｓ２１０２）。紙媒体登録要求プログラム３１１は、入力された移動残高、ログインＩＤ、及びパスワードを含む残高保留要求を仮想通貨管理サーバ５００に送信する（Ｓ２１０３）。【０１９１】
仮想通貨残高管理プログラム５１１及び保留残高引出鍵生成プログラム５１２は、残高保留処理を実行する（Ｓ２１０４）。具体的には、仮想通貨残高管理プログラム５１１は、仮想通貨残高テーブル５２０から、受信した残高保留要求に含まれるログインＩＤとパスワードの組み合わせを特定する。仮想通貨残高管理プログラム５１１は、仮想通貨残高テーブル５２０の特定した組み合わせに対応する仮想通貨残高から、受信した残高保留要求に含まれる移動残高を減算し、減算した移動残高を保留状態にする。【０１９２】
保留残高引出鍵生成プログラム５１２は、保留状態にした残高、即ち保留残高に対応する保留残高引出鍵を生成し、生成した保留残高引出鍵を、受渡人の当該保留残高と紐づけて、仮想通貨残高テーブル５２０に格納する。なお、保留残高引出鍵生成プログラム５１２は、仮想通貨残高テーブル５２０に既に格納されている保留残高引出鍵と異なる保留残高引出鍵を生成する。【０１９３】
なお、ステップＳ２１０４において、受信した識別情報とパスワードの組み合わせが仮想通貨残高テーブル５２０に含まれない場合、又は受渡人の仮想通貨残高が受信した移動残高より少ない場合、保留残高引出鍵生成プログラム５１２は、保留残高引出鍵を生成せず、エラーメッセージを管理用端末３００に送信する。【０１９４】
続いて、仮想通貨残高管理プログラム５１１は、保留残高引出鍵を管理用端末３００に送信する（Ｓ２１０５）。紙媒体登録要求プログラム３１１は、当該紙媒体画像と、受信した保留残高引出鍵と、Ｓ２１０２における入力を行った受渡人のＩＤである価値発行者ＩＤと、を含む紙媒体登録要求を、認証サーバ１００に送信する（Ｓ２１０６）。【０１９５】
なお、紙媒体登録要求プログラム３１１は、ステップＳ２１０２において、受渡人から、さらに認証要求者ＩＤ、有効期間、認証要求者情報、受渡人情報等の入力を受け付けてもよい。このとき、紙媒体登録要求プログラム３１１は、ステップＳ２１０６において、入力された情報をさらに紙媒体登録要求に含める。【０１９６】
続いて、紙媒体画像登録プログラム１１２は、受信した紙媒体登録要求に含まれる紙媒体画像から、画像特徴量を抽出する（Ｓ２１０７）。なお、ステップＳ２１０１において紙媒体登録要求プログラム３１１が特徴量抽出処理を行い、ステップＳ２１０６において紙媒体登録要求プログラム３１１が抽出した特徴量を紙媒体登録要求に含めてもよい。この場合、ステップＳ２１０７が省略される。【０１９７】
紙媒体画像登録プログラム１１２は、紙媒体ＩＤを発行し、発行した紙媒体ＩＤと抽出した特徴量と紙媒体登録要求に含まれる情報とを対応付けて紙媒体テーブル１４０に格納する（Ｓ２１０８）。なお、価値情報欄１４３には、残高引出鍵が格納される。【０１９８】
なお、例えば、抽出した特徴量と同一又は類似する特徴量を有する紙媒体の情報が紙媒体テーブル１４０に既に格納されている場合、紙媒体画像登録プログラム１１２は、ステップＳ２１０８における登録処理を実行しない。具体的には、例えば、２つの特徴量の差のノルムが所定の閾値以下である場合に、紙媒体画像登録プログラム１１２は、２つの特徴量が同一又は類似であると判定する。【０１９９】
紙媒体画像登録プログラム１１２は、ステップＳ２１０８における登録結果を示す紙媒体登録応答を、管理用端末３００に送信する（Ｓ２１０９）。紙媒体登録要求プログラム３１１は、受信した紙媒体登録応答が示す登録結果を、入出力インターフェース３０４に出力する（Ｓ２１１０）。紙媒体登録要求プログラム３１１は、仮想通貨管理サーバ５００に、受信した紙媒体登録応答を転送する（Ｓ２１１１）。【０２００】
仮想通貨残高管理プログラム５１１は、受信した紙媒体登録応答が示す登録結果を参照する。登録が完了しなかったことが判明した場合、仮想通貨残高管理プログラム５１１は、仮想通貨残高テーブル５２０の当該保留残高を対応する仮想通貨残高に加算し、当該保留残高及び当該保留残高に対応する保留残高引出鍵を、仮想通貨残高テーブル５２０から削除する。なお、仮想通貨残高管理プログラム５１１は、ステップＳ２１０５の処理から所定時間が経過しても、紙媒体登録応答を受信しない場合、登録が完了しなかったものとして、上述の保留残高及び保留残高引出鍵の削除処理を実行してもよい。【０２０１】
図２２は、紙媒体価値付与システムによる認証処理の一例を示す。ステップＳ１００１〜ステップＳ１０１２の処理は、図１０と同様であるため、説明を省略する。ステップＳ１００１において撮影された各紙媒体画像に対して、以下のステップＳ１００２〜Ｓ１０１２、及びステップＳ２２１３〜Ｓ２２１７の処理が実行される。以下、ステップＳ１００１〜Ｓ１０１２が終了後の処理について説明をする。【０２０２】
価値保証プログラム１１４は、認証結果が成功であった場合のみ、紙媒体テーブル１４０を参照して、認証が成功した紙媒体に対応する保留残高引出鍵を、価値情報欄１４３から取得する（Ｓ２２１３）。【０２０３】
また、価値保証プログラム１１４は、価値保証番号を発行し、特定した紙媒体ＩＤに対応する価値保証番号欄１４７に発行した価値保証番号を格納する。価値保証プログラム１１４は、特定した紙媒体ＩＤに対応する価値保証状況欄１４６の値を「価値保証済」に変更する。【０２０４】
続いて、紙媒体画像認証プログラム１１３は、ステップＳ１０１０で登録された認証結果を含む紙媒体認証結果通知を、認証要求者端末２００に送信する（Ｓ２２１４）。なお、認証結果が成功であった場合には、紙媒体画像認証プログラム１１３は、取得した保留残高引出鍵を、紙媒体認証結果通知にさらに含める。認証サーバ１００が、保留残高引出鍵を認証要求者端末２００に送信することは、本実施例における価値保証処理の一例である。【０２０５】
紙媒体画像送信プログラム２１３は、紙媒体認証結果通知が示す認証結果に従って、当該紙媒体の認証状況を更新する（Ｓ２２１５）。具体的には、例えば、紙媒体画像送信プログラム２１３は、認証結果が成功であった場合に紙媒体画像記憶領域２１５内の当該紙媒体画像の認証状況を「認証済（ＯＫ）」に変更し、認証結果が失敗であった場合に紙媒体画像記憶領域２１５内の当該紙媒体画像の認証状況を「認証済（ＮＧ）」に変更する。また、紙媒体画像送信プログラム２１３は、認証結果が成功であった場合に、認証要求者からの要求に応じて、当該紙媒体の認証状況と併せて残高引出鍵を表示してもよい。【０２０６】
続いて、紙媒体画像送信プログラム２１３は、認証要求者からの要求に応じて、保留残高引出鍵を含む保留残高移動要求を仮想通貨管理サーバ５００に送信する（Ｓ２２１６）。なお、保留残高を認証要求者の仮想通貨残高に加算する場合、紙媒体画像送信プログラム２１３は、認証要求者の仮想通貨管理サーバ５００へのログインＩＤとパスワードの入力を、認証要求者から受け付け、入力されたログインＩＤとパスワードを保留残高移動要求に含める。【０２０７】
また、認証要求者の銀行口座等に保留残高に相当する現実通貨が振り込まれる場合、紙媒体画像送信プログラム２１３は、認証要求者の振込先口座情報（銀行コード、口座番号、認証要求者の連絡先等）の入力を認証要求者から受け付け、入力された振込先口座情報を保留残高移動要求に含める。【０２０８】
認証要求者の銀行口座等に保留残高に相当する現実通貨が振り込まれる場合、紙媒体画像送信プログラム２１３は、振込先口座情報の代わりに認証要求者の認証サーバ１００への認証要求者ＩＤを保留残高移動要求に含めてもよい。このとき、仮想通貨残高管理プログラム５１１は、受信した認証要求者ＩＤを認証サーバ１００に送信する。管理情報操作プログラム１１５は、認証要求者履歴テーブル１３０の当該認証要求者ＩＤに対応する振込口座欄１３７から振込先口座情報を取得し、管理用端末３００に送信する。【０２０９】
続いて、仮想通貨残高管理プログラム５１１は、保留残高移動処理を実行する（Ｓ２２１７）。認証要求者の銀行口座等に保留残高に相当する現実通貨が振り込まれる場合、ステップＳ２２１７において、以下の処理が実行される。【０２１０】
仮想通貨残高管理プログラム５１１は、仮想通貨残高管理プログラム５１１は、振込先口座情報に対応する振込データを作成する。振込データが正常に作成された場合、仮想通貨残高管理プログラム５１１は、仮想通貨残高テーブル５２０の当該保留残高鍵及び当該保留残高鍵に対応する保留残高を削除する。なお、振込データが正常に作成されてから、所定期間が経過しても当該振込データに対応する振込が実行されなかった場合、仮想通貨残高管理プログラム５１１は、削除した保留残高鍵及び保留残高を元に戻し、当該振込データを削除する。振込データが正常に作成されなかった場合、仮想通貨残高管理プログラム５１１は、認証要求者端末２００にエラーメッセージを送信する。【０２１１】
保留残高が認証要求者の仮想通貨残高に加算される場合、ステップＳ２２１７において、以下の処理が実行される。仮想通貨残高管理プログラム５１１は、受信したログインＩＤとパスワードの組み合わせが、仮想通貨残高テーブル５２０に存在するか否かを判定する。【０２１２】
当該組み合わせが存在する場合、仮想通貨残高管理プログラム５１１は、仮想通貨残高テーブル５２０の当該保留残高鍵に対応する保留残高を、受信したログインＩＤに対応する仮想通貨残高に加算し、当該保留残高鍵及び当該保留残高鍵に対応する保留残高を削除する。当該組み合わせが存在しない場合、仮想通貨残高管理プログラム５１１は、認証要求者端末２００にエラーメッセージを送信する。【０２１３】
なお、ステップＳ２２１４において、認証結果が成功であった場合に、認証サーバ１００は、保留残高引出鍵を紙媒体認証結果通知に含めず、当該保留残高引出鍵から保留残高を示す情報を取得し、取得した保留残高を示す情報を紙媒体認証結果通知に含めてもよい。【０２１４】
このとき、ステップＳ２２１６において、認証要求者端末２００は、受信した紙媒体認証結果通知を保留残高移動要求に含める。仮想通貨管理サーバ５００は、認証要求者端末２００から受信した紙媒体認証結果通知を認証サーバ１００に送信して、認証サーバ１００は受信した紙媒体認証結果通知が正当であるか否かを判定する。認証サーバ１００は、正当であると判定した場合、当該紙媒体に対応する保留残高引出鍵を仮想通貨管理サーバ５００に送信し、ステップＳ２２１７に遷移する。【０２１５】
認証サーバ１００は、正当でないと判定した場合、エラーメッセージを仮想通貨管理サーバ５００に送信し、仮想通貨管理サーバ５００はエラーメッセージを認証要求者端末２００に送信する。このような処理により、保留残高引出鍵が認証サーバ１００の外部に流出しないため、セキュリティレベルを高めることができる。【０２１６】
また、本実施例において、仮想通貨管理サーバ５００が保留残高引出鍵を生成せず、保留残高引出鍵の代わりに、紙媒体に付与された仮想通貨、即ち保留残高そのものがやりとりされてもよい。【０２１７】
以上、本実施例の紙媒体価値付与システムは、あらゆる紙媒体に仮想通貨の価値を移動させ、かつ当該紙媒体の認証処理を正確に実行することができる。ひいては、本実施例の紙媒体価値付与システムによって、受渡人は、自身が保有する仮想通貨残高を、仮想通貨を保有している認証要求者に対しても、安全に渡すことができるため、円滑な取引が実現される。
【実施例３】
【０２１８】
本実施例の紙媒体価値付与システムは、紙媒体に商品券としての価値を付与する処理を実行する。なお、商品券は紙型の前払式支払手段の一例であり、本実施例の紙媒体価値付与システムは、あらゆる紙型の前払式支払手段としての価値を紙媒体に付与することができる。【０２１９】
図２３は、本実施例の紙媒体価値付与システムにおいて実行される処理全体の概要の一例を示す。認証サーバ１００は認証センタ又は商品券の発行体に設置され、認証要求者端末２００は、商品券が利用される店舗に設置され、管理用端末３００は商品券の発行体に設置される。【０２２０】
まず、管理用端末３００は、商品券の発行体のシステム管理者から紙媒体の画像情報、及び価値情報である商品券金額の入力を、システム管理者から受け付け、入力された情報を認証サーバ１００に送信する。認証サーバ１００は、受信した紙媒体の画像情報と金額情報とを対応付けて保持する。これにより、当該紙媒体に商品券の金額が示す価値が付与される、即ち当該紙媒体が当該金額の価値を有する商品券になる。【０２２１】
続いて、紙媒体が発行体から顧客へと受け渡される。続いて、顧客は、店舗スタッフに紙媒体を受け渡し、商品を購入する。店舗スタッフは、認証要求者端末２００を用いて、受け取った紙媒体の認証を行う。認証要求者端末２００は、認証要求者から紙媒体の画像情報の入力を受け付け、入力された情報を認証サーバ１００に送信する。【０２２２】
認証サーバ１００は、認証サーバ１００が保持する画像情報から、受信した画像情報と一致する画像情報を検索する。当該一致する画像情報が存在する場合、認証サーバ１００は、当該画像情報に対応する金額情報を取得し、取得した金額に対応する振込データを作成する、価値保証処理を実行する。【０２２３】
なお、具体的には、価値保証プログラム１１４が以下のようにして、価値保証処理を実行する。価値保証プログラム１１４は、認証処理において特定された紙媒体ＩＤに対応する、名称欄１３４から名称を、振込口座欄１３７から振込先口座情報を、価値情報欄１４３から商品券金額を、それぞれ取得する。価値保証プログラム１１４は、特定した紙媒体ＩＤと、取得した名称、振込先口座番号、及び商品券金額と、を紐づけた、振込データを作成する。【０２２４】
また、価値保証プログラム１１４は、価値保証番号を発行し、特定した紙媒体ＩＤに対応する価値保証番号欄１４７に発行した価値保証番号を格納する。価値保証プログラム１１４は、特定した紙媒体ＩＤに対応する価値保証状況欄１４６の値を「価値保証済」に変更する。価値保証プログラム１１４は、例えば、定期的に又は管理用端末３００からの要求に応じて、生成した振込データを管理用端末３００に送信する。【０２２５】
なお、認証要求者と受取人との間に、１以上の取引仲介者が介在してもよい。取引仲介者それぞれは、取引仲介者それぞれが有する認証要求者端末２００を用いて、紙媒体認証を認証サーバ１００に要求する。取引仲介者それぞれは、認証が成功した場合に次の受取人に紙媒体を受け渡す。なお、認証サーバ１００は、取引仲介者からの認証要求に対しては、紙媒体の認証処理のみを実施し、価値保証処理を実行しない。【０２２６】
上述した処理により、本実施例の紙媒体価値付与システムは、あらゆる紙媒体に商品券としての価値を付与し、かつ当該紙媒体の認証処理を正確に実行し、さらに店舗への振込データを作成することができる。【０２２７】
なお、本実施形態では、クライアントサーバ方式における紙媒体価値付与システムを説明しているが、紙媒体価値付与システムは、例えば、ブロックチェーンのようなＰ２Ｐ方式で実現されてもよい。この場合、例えば、各所に設置された複数の端末（ノード）それぞれが、認証サーバ１００、認証要求者端末２００、管理用端末３００、及び仮想通貨管理サーバ５００の機能の一部又は全てを担う。【０２２８】
認証サーバ１００として機能する、ネットワークを介して接続された複数の端末が存在する（当該複数の端末それぞれは認証サーバ１００の一部の機能を担う）場合、例えば、当該複数の端末でブロックチェーンを構成し、紙媒体の受渡履歴をブロックチェーンのブロックに記録してもよい。これにより、特に受渡人と認証要求者との間に取引仲介者がいる場合において、紙媒体の流通過程をより正確性に保証することができる。また、例えば、仮想通貨管理サーバ５００として機能する複数の端末が存在する（当該複数の端末それぞれは仮想通貨管理サーバ５００の一部の機能を担う）場合、例えば、当該複数の端末でブロックチェーンを構成し、仮想通貨の取引履歴をブロックチェーンのブロックに記録してもよい。【０２２９】
また、前述したように、認証サーバ１００は、価値保証処理として紙媒体の原本性証明を実行してもよい。具体的には、例えば識別番号が記載された紙幣が本実施形態の紙媒体である場合、例えば、認証サーバ１００の紙媒体テーブル１４０には、紙幣の識別番号である紙媒体ＩＤと、紙幣に記載された識別番号を含む紙幣の一部又は全部の画像情報と、が対応付けられて格納されている。認証サーバ１００は、認証要求者端末２００から、紙幣に記載された識別番号を含む紙幣の一部又は全部の画像情報と、紙媒体テーブル１４０に格納された当該識別番号に対応する画像情報と、間の認証を実行し、認証が成功した場合に、当該紙幣の原本性証明を実行する。当該処理により、認証サーバ１００は、紙幣識別器としても機能する。【０２３０】
また、本実施形態の紙媒体価値付与システムに用いられる媒体は、紙媒体に限られない。例えば、布、石、及び木などの媒体が、紙媒体の代わりに用いられてもよい。つまり、認証サーバ１００には、紙媒体の画像の代わりに、布、石、及び木などの媒体の画像及び当該画像に対応づけられた価値が予め登録され、認証サーバ１００は、受信した当該媒体の画像について認証処理及び価値保証処理を実行してもよい。この場合、布、石、及び木などの画像特徴量として、布、石、及び木などに固有の物理的性質を示す情報（印字や印画によって変化しない情報、例えば形状パターン等）が用いられる。【０２３１】
以下、本実施形態と先行技術文献との差異を説明する。特許文献１に記載の技術は、各種被検査紙の原本性を担保するための技術であり、紙媒体に対して価値を付与し認証を実行する本実施形態の紙媒体価値付与システムとは技術的思想が異なる。特許文献２に記載の技術は、事前にセキュリティ媒体が埋め込まれた商品券の決済を実行する技術であり、事前に特殊な処理が施されていない紙媒体に価値情報を付与する本実施形態の紙媒体価値付与システムとは技術的思想が異なる。特許文献３に記載の技術は、特殊紙を使用した偽造不能なハードコピー証券を発行するシステムであり、事前に特殊な処理が施されていない紙媒体に価値情報を付与する本実施形態の紙媒体価値付与システムとは技術的思想が異なる。【０２３２】
なお、特許文献１に記載の技術は、極めて詐称が困難である紙の識別照合技術を「何処でも手軽にという利便性」及び「低コスト」という要素を満たしつつ、実現することを目的としている。一方、特許文献２に記載の技術は、事前にセキュリティ媒体が埋め込まれた商品券を用いており、これは特許文献１に記載の技術の目的に反しているため、特許文献１に記載の技術と特許文献２に記載の技術とを組み合わせることは容易ではない。また、特許文献３に記載の技術は、「潜在的顧客が証券の買付けのため申し込み、証券を買付け、買付けた証券の受託機関への移管、買付け偽造不能ハードコピー証券のプリントアウト及び印刷された偽造不能ハードコピー証券のシステムへの再流通に便利な様々な場所に設置された複数の発行機を備えた証券発行システムを提供する」ことを目的としており、これは特許文献１に記載の技術の目的と異なるため、特許文献１に記載の技術と特許文献３に記載の技術とを組み合わせる動機づけがない。【０２３３】
以上、本発明を添付の図面を参照して詳細に説明したが、本発明はこのような具体的構成に限定されるものではなく、添付した請求の範囲の趣旨内における様々な変更及び同等の構成を含むものである。【０２３４】
本出願は、平成２８年（２０１６年）１月１３日に出願された国際特許出願であるＰＣＴ／ＪＰ２０１６／０５０８２４の優先権を主張し、その内容を参照することにより、本出願に取り込む。
【図１】
2017122767.tif 000003
【図２】
2017122767.tif 000004
【図３】
2017122767.tif 000005
【図４】
2017122767.tif 000006
【図５】
2017122767.tif 000007
【図６】
2017122767.tif 000008
【図７】
2017122767.tif 000009
【図８】
2017122767.tif 000010
【図９】
2017122767.tif 000011
【図１０】
2017122767.tif 000012
【図１１】
2017122767.tif 000013
【図１２】
2017122767.tif 000014
【図１３】
2017122767.tif 000015
【図１４】
2017122767.tif 000016
【図１５】
2017122767.tif 000017
【図１６】
2017122767.tif 000018
【図１７】
2017122767.tif 000019
【図１８Ａ】
2017122767.tif 000020
【図１８Ｂ】
2017122767.tif 000021
【図１８Ｃ】
2017122767.tif 000022
【図１８Ｄ】
2017122767.tif 000023
【図１８Ｅ】
2017122767.tif 000024
【図１８Ｆ】
2017122767.tif 000025
【図１９】
2017122767.tif 000026
【図２０】
2017122767.tif 000027
【図２１】
2017122767.tif 000028
【図２２】
2017122767.tif 000029
【図２３】
2017122767.tif 000030
【国際調査報告】
2017122767.tif 000031
2017122767.tif 000032
2017122767.tif 000033
2017122767.tif 000034